(57)【要約】【課題】コンテンツやこのコンテンツと関連付けられた様々なサービスに対して追加、変更及び削除が行われた場合においても、ユーザに適切且つ柔軟性に富んだサービスを提供するためのコンテンツ付加サービス許諾サーバ、コンテンツ付加サービス許諾プログラム及びプログラム記録媒体を提供する。【解決手段】コンテンツ１２に対する関連付けが希望される付加サービス又は付加コンテンツの関連付け条件と、その付加サービス又は付加コンテンツの概要情報を受け取る概要情報受取手段と、コンテンツ１２との関連付けが可能な付加サービス又は付加コンテンツの条件を定めた被関連付け条件情報１１を受け取り、被関連付け条件情報１１と関連付け条件との比較を行い、関連付けを許諾するか否かを判定すべき付加サービス又は付加コンテンツの概要を表す概要情報を得る概要情報取得手段とを備えるコンテンツ付加サービス許諾サーバ３を設ける。【選択図】      図１
2004362472.tif 000002
【特許請求の範囲】
【請求項１】
コンテンツに対する関連付けが希望される付加サービス又は付加コンテンツの関連付け条件と、その付加サービス又は付加コンテンツの概要情報を受け取る概要情報受取手段と、
前記コンテンツとの関連付けが可能な付加サービス又は付加コンテンツの条件を定めた被関連付け条件を受け取り、該被関連付け条件と前記関連付け条件との比較を行い、関連付けを許諾すべき付加サービス又は付加コンテンツの概要を表す概要情報を得る概要情報取得手段と
を備えることを特徴とするコンテンツ付加サービス許諾サーバ。
【請求項２】
前記コンテンツを識別するためのコンテンツ識別子が指定されることにより前記コンテンツと前記概要情報との関連付けを要求するための関連付け要求情報が生成され、送信された場合に、該関連付け要求情報を受け取る関連付け要求情報受取手段と、
前記コンテンツとの関連付けが可能なコンテンツ識別子を定めた被関連付け条件を受け取り、該被関連付け条件と前記指定されたコンテンツ識別子との比較を行い、前記要求情報受取手段により受け取られた関連付け要求情報のうち、関連付けを許諾すべき関連付け要求情報を前記コンテンツ識別子ごとに分類して記憶する分類記憶手段と、
前記コンテンツ識別子が指定されることにより前記付加サービス又は前記付加コンテンツの照会要求がなされた場合に、前記指定されたコンテンツ識別子を有する関連付け要求情報を前記分類記憶手段から読み出し、送信する送信手段と
を備えることを特徴とする請求項１に記載のコンテンツ付加サービス許諾サーバ。
【請求項３】
前記付加サービス又は前記付加コンテンツはその属性を示す属性情報を有し、前記属性情報が指定されることにより前記概要情報と前記コンテンツとの関連付けを要求するための関連付け要求情報が生成され、送信された場合に、該関連付け要求情報を受け取る関連付け要求情報受取手段と、
前記コンテンツとの関連付けが可能な付加サービス又は付加コンテンツが満たすべき属性情報を定めた被関連付け条件を受け取り、該被関連付け条件と前記指定された属性情報との比較を行い、前記要求情報受取手段により受け取られた関連付け要求情報のうち、関連付けを許諾すべき関連付け要求情報を前記コンテンツ識別子ごとに分類して記憶する分類記憶手段と、
前記コンテンツを識別するためのコンテンツ識別子が指定されることにより付加サービス又は付加コンテンツの照会要求がなされた場合に、前記指定されたコンテンツ識別子を有する関連付け要求情報を前記分類記憶手段から読み出し、送信する送信手段と
を備えることを特徴とする請求項１に記載のコンテンツ付加サービス許諾サーバ。
【請求項４】
前記付加サービス又は前記付加コンテンツはその属性を示す属性情報を有し、前記属性情報が指定されることにより前記概要情報と前記コンテンツとの関連付けを要求するための関連付け要求情報が生成され、送信された場合に、
該関連付け要求情報を受け取る関連付け要求情報受取手段と、
前記要求情報受取手段により受け取られた関連付け要求情報を前記属性情報ごとに分類して記憶する分類記憶手段と、
前記コンテンツを識別するためのコンテンツ識別子が指定されることにより付加サービス又は付加コンテンツの照会要求がなされた場合に、前記コンテンツとの関連付けが可能な付加サービス又は付加コンテンツが満たすべき属性情報を定めた被関連付け条件を受け取り、該被関連付け条件と前記指定された属性情報との比較を行い、前記要求情報受取手段により受け取られた関連付け要求情報のうち、関連付けを許諾すべき関連付け要求情報を前記分類記憶手段から読み出し、送信する送信手段と
を備えることを特徴とする請求項１に記載のコンテンツ付加サービス許諾サーバ。
【請求項５】
前記付加サービス又は前記付加コンテンツはその属性を示す属性情報を有し、前記属性情報が指定されることにより前記概要情報と前記コンテンツとの関連付けを要求するための関連付け要求情報が生成され、送信された場合に、該関連付け要求情報を受け取る関連付け要求情報受取手段と、
前記要求情報受取手段により受け取られた関連付け要求情報を前記属性情報ごとに分類して記憶する分類記憶手段と、
前記属性情報が指定されることにより付加サービス又は付加コンテンツの照会要求がなされた場合に、前記指定された属性情報により特定される関連付け要求情報を前記分類記憶手段から読み出し、送信する送信手段と
を備えることを特徴とする請求項１に記載のコンテンツ付加サービス許諾サーバ。
【請求項６】
前記コンテンツを配信するコンテンツセンタから前記被関連付け条件を取得し、記憶する被関連付け条件記憶手段を備えることを特徴とする請求項１乃至５のいずれか１項に記載のコンテンツ付加サービス許諾サーバ。
【請求項７】
前記コンテンツを配信するコンテンツセンタから前記被関連付け条件を取得する被関連付け条件取得手段を備えることを特徴とする請求項１乃至５のいずれか１項に記載のコンテンツ付加サービス許諾サーバ。
【請求項８】
前記コンテンツに埋め込まれた情報又は前記コンテンツに添付された情報から前記被関連付け条件を取得する被関連付け条件取得手段を備えることを特徴とする請求項１乃至５のいずれか１項に記載のコンテンツ付加サービス許諾サーバ。
【請求項９】
前記被関連付け条件は、コンテンツ属性情報を含むことを特徴とする請求項１乃至８のいずれか１項に記載のコンテンツ付加サービス許諾サーバ。
【請求項１０】
前記被関連付け条件は、関連付けを禁止すべき付加サービス又は付加コンテンツの条件を定めた関連付け禁止条件を含むことを特徴とする請求項１乃至８のいずれか１項に記載のコンテンツ付加サービス許諾サーバ。
【請求項１１】
前記関連付け条件が前記被関連付け条件の少なくとも一部を満たす場合に、前記概要情報の前記コンテンツに対する関連付けを許諾する許諾手段を備えることを特徴とする請求項１乃至１０のいずれか１項に記載のコンテンツ付加サービス許諾サーバ。
【請求項１２】
前記関連付け条件が前記被関連付け条件の全てを満たす場合に、前記概要情報の前記コンテンツに対する関連付けを許諾する許諾手段を備えることを特徴とする請求項１乃至１０のいずれか１項に記載のコンテンツ付加サービス許諾サーバ。
【請求項１３】
前記関連付け条件を指定する関連付け条件指定手段を備えることを特徴とする請求項１乃至１２のいずれか１項に記載のコンテンツ付加サービス許諾サーバ。
【請求項１４】
コンピュータを、
コンテンツに対する関連付けが希望される付加サービス又は付加コンテンツの関連付け条件と、その付加サービス又は付加コンテンツの概要情報を受け取る概要情報受取手段と、
前記コンテンツとの関連付けが可能な付加サービス又は付加コンテンツの条件を定めた被関連付け条件を受け取り、該被関連付け条件と前記関連付け条件との比較を行い、関連付けを許諾すべき付加サービス又は付加コンテンツの概要を表す概要情報を得る概要情報取得手段
として機能させることを特徴とするコンテンツ付加サービス許諾プログラム。
【請求項１５】
前記コンテンツを識別するためのコンテンツ識別子が指定されることにより前記コンテンツと前記概要情報との関連付けを要求するための関連付け要求情報が生成され、送信された場合に、
コンピュータを、
前記関連付け要求情報を受け取る関連付け要求情報受取手段と、
前記コンテンツとの関連付けが可能なコンテンツ識別子を定めた被関連付け条件を受け取り、該被関連付け条件と前記指定されたコンテンツ識別子との比較を行い、前記要求情報受取手段により受け取られた関連付け要求情報のうち、関連付けを許諾すべき関連付け要求情報を前記コンテンツ識別子ごとに分類して記憶する分類記憶手段と、
前記コンテンツ識別子が指定されることにより前記付加サービス又は前記付加コンテンツの照会要求がなされた場合に、前記指定されたコンテンツ識別子を有する関連付け要求情報を前記分類記憶手段から読み出し、送信する送信手段
として機能させることを特徴とする請求項１４に記載のコンテンツ付加サービス許諾プログラム。
【請求項１６】
前記付加サービス又は前記付加コンテンツはその属性を示す属性情報を有し、前記属性情報が指定されることにより前記概要情報と前記コンテンツとの関連付けを要求するための関連付け要求情報が生成され、送信された場合に、
コンピュータを、
前記関連付け要求情報を受け取る関連付け要求情報受取手段と、
前記コンテンツとの関連付けが可能な付加サービス又は付加コンテンツが満たすべき属性情報を定めた被関連付け条件を受け取り、該被関連付け条件と前記指定された属性情報との比較を行い、前記要求情報受取手段により受け取られた関連付け要求情報のうち、関連付けを許諾すべき関連付け要求情報を前記コンテンツ識別子ごとに分類して記憶する分類記憶手段と、
前記コンテンツを識別するためのコンテンツ識別子が指定されることにより付加サービス又は付加コンテンツの照会要求がなされた場合に、前記指定されたコンテンツ識別子を有する関連付け要求情報を前記分類記憶手段から読み出し、送信する送信手段
として機能させることを特徴とする請求項１４に記載のコンテンツ付加サービス許諾プログラム。
【請求項１７】
前記付加サービス又は前記付加コンテンツはその属性を示す属性情報を有し、前記属性情報が指定されることにより前記概要情報と前記コンテンツとの関連付けを要求するための関連付け要求情報が生成され、送信された場合に、
コンピュータを、
前記関連付け要求情報を受け取る関連付け要求情報受取手段と、
前記要求情報受取手段により受け取られた関連付け要求情報を前記属性情報ごとに分類して記憶する分類記憶手段と、
前記コンテンツを識別するためのコンテンツ識別子が指定されることにより付加サービス又は付加コンテンツの照会要求がなされた場合に、前記コンテンツとの関連付けが可能な付加サービス又は付加コンテンツが満たすべき属性情報を定めた被関連付け条件を受け取り、該被関連付け条件と前記指定された属性情報との比較を行い、前記要求情報受取手段により受け取られた関連付け要求情報のうち、関連付けを許諾すべき関連付け要求情報を前記分類記憶手段から読み出し、送信する送信手段
として機能させることを特徴とする請求項１４に記載のコンテンツ付加サービス許諾プログラム。
【請求項１８】
前記付加サービス又は前記付加コンテンツはその属性を示す属性情報を有し、前記属性情報が指定されることにより前記概要情報と前記コンテンツとの関連付けを要求するための関連付け要求情報が生成され、送信された場合に、
コンピュータを、
前記関連付け要求情報を受け取る関連付け要求情報受取手段と、
前記要求情報受取手段により受け取られた関連付け要求情報を前記属性情報ごとに分類して記憶する分類記憶手段と、
前記属性情報が指定されることにより付加サービス又は付加コンテンツの照会要求がなされた場合に、前記指定された属性情報により特定される関連付け要求情報を前記分類記憶手段から読み出し、送信する送信手段
として機能させることを特徴とする請求項１４に記載のコンテンツ付加サービス許諾プログラム。
【請求項１９】
コンピュータを、前記コンテンツを配信するコンテンツセンタから前記被関連付け条件を取得し、記憶する被関連付け条件記憶手段として機能させることを特徴とする請求項１４乃至１８のいずれか１項に記載のコンテンツ付加サービス許諾プログラム。
【請求項２０】
コンピュータを、前記コンテンツを配信するコンテンツセンタから前記被関連付け条件を取得する被関連付け条件取得手段として機能させることを特徴とする請求項１４乃至１８のいずれか１項に記載のコンテンツ付加サービス許諾プログラム。
【請求項２１】
コンピュータを、前記コンテンツに埋め込まれた情報又は前記コンテンツに添付された情報から前記被関連付け条件を取得する被関連付け条件取得手段として機能させることを特徴とする請求項１４乃至１８のいずれか１項に記載のコンテンツ付加サービス許諾プログラム。
【請求項２２】
前記被関連付け条件は、コンテンツ属性情報を含むことを特徴とする請求項１４乃至２１のいずれか１項に記載のコンテンツ付加サービス許諾プログラム。
【請求項２３】
前記被関連付け条件は、関連付けを禁止すべき付加サービス又は付加コンテンツの条件を定めた関連付け禁止条件を含むことを特徴とする請求項１４乃至２１のいずれか１項に記載のコンテンツ付加サービス許諾プログラム。
【請求項２４】
コンピュータを、前記関連付け条件が前記被関連付け条件の少なくとも一部を満たす場合に、前記概要情報の前記コンテンツに対する関連付けを許諾する許諾手段として機能させることを特徴とする請求項１４乃至２３のいずれか１項に記載のコンテンツ付加サービス許諾プログラム。
【請求項２５】
コンピュータを、前記関連付け条件が前記被関連付け条件の全てを満たす場合に、前記概要情報の前記コンテンツに対する関連付けを許諾する許諾手段として機能させることを特徴とする請求項１４乃至２３のいずれか１項に記載のコンテンツ付加サービス許諾プログラム。
【請求項２６】
コンピュータを、前記関連付け条件を指定する関連付け条件指定手段として機能させることを特徴とする請求項１４乃至２５のいずれか１項に記載のコンテンツ付加サービス許諾プログラム。
【請求項２７】
請求項１４乃至２６のいずれか１項に記載のコンテンツ付加サービス許諾プログラムを記録したことを特徴とするプログラム記録媒体。
【発明の詳細な説明】
【０００１】
【発明の属する技術分野】
本発明は、コンテンツに対して提供可能な付加サービスを登録し照会するコンテンツ付加サービス許諾サーバ、コンテンツ付加サービス許諾プログラム及びプログラム記録媒体に関する。
【０００２】
【従来の技術】
従来のコンテンツ付加サービス照会サーバは、コンテンツセンタ又はサードパーティがコンテンツ識別子を指定して、そのコンテンツ識別子を有するコンテンツに対して提供可能な付加サービスの概要情報を、コンテンツ付加サービス許諾サーバに登録することによって、ユーザ端末がコンテンツ識別子を指定してそのコンテンツ識別子を有するコンテンツに対して提供可能な付加サービスの情報を検索した際に、ユーザ端末にその登録情報を出力し、ユーザにコンテンツセンタ又はサードパーティの付加サービスを提供していた（例えば、特許文献１及び非特許文献１参照）。
【０００３】
【特許文献１】
特開２００３−３６３１８号公報（第１０頁、第１図）
【０００４】
【非特許文献１】
Ｈ．  Ｓａｋａｍｏｔｏ、  “Ｓｅｒｖｉｃｅ  Ｇａｔｅｗａｙ  ｔｏ  Ｅｎａｂｌｅ  ｔｈｅ  Ｉｎｔｒｏｄｕｃｔｉｏｎ  ｏｆ  Ｃｏｎｔｅｎｔ  Ｒｅｌａｔｅｄ  Ｓｅｒｖｉｃｅｓ”、  ＩＣＭＥ  ２００１  Ｍｕｌｔｉｍｅｄｉａ  ａｎｄ  Ｅｘｐｏ、  ＩＥＥＥ  Ｉｎｔｅｒｎａｔｉｏｎａｌ  Ｃｏｎｆｅｒｅｎｃｅ  ｏｎ  ＣＤ−ＲＯＭ  （ＩＥＥＥ、  ２２  Ａｕｇｕｓｔ  ２００１）、  ｐ．６３７−６４０．
【０００５】
【発明が解決しようとする課題】
コンテンツセンタが配信したコンテンツに対するコンテンツ付加サービス（著作権情報照会等）は、コンテンツセンタが正式に管理しており、このためユーザに適切且つ柔軟性に富んだサービスを提供できる。しかしながら、サードパーティはコンテンツやこのコンテンツに対する正式な付加サービスを管理していないため、必ずしもユーザに対して適切且つ柔軟性に富んだサービスが提供できるとはいえない。したがって、コンテンツセンタの立場に立ってみると、コンテンツ付加サービス照会サーバによりユーザ端末に出力される付加サービスの情報が、コンテンツセンタの希望しない関連付けにより成り立っている可能性がある。
【０００６】
また、コンテンツセンタは、たとえコンテンツやサービスに対して追加、変更及び削除が行われた場合でも、コンテンツが有するコンテンツ識別子を用いるだけでユーザに対して適切且つ柔軟性に富んだサービスを提供できるが、サードパーティはコンテンツやこのコンテンツに対する正式なサービスを管理していないため、追加、変更及び削除が行われた場合、必ずしもユーザに対して適切且つ柔軟性に富んだサービスが提供できるとはいえない。したがって、サードパーティの立場に立ってみると、コンテンツやコンテンツ属性情報や付加サービス関連付け禁止条件に対して追加、変更及び削除が行われた場合、コンテンツが有するコンテンツ識別子を用いるだけではユーザに対して適切且つ柔軟性に富んだサービスを提供できなくなる可能性がある。
【０００７】
本発明は、上記の点に鑑みてなされたものであり、コンテンツやこのコンテンツと関連付けられた様々なサービスに対して追加、変更及び削除が行われた場合においても、ユーザに適切且つ柔軟性に富んだサービスを提供するためのコンテンツ付加サービス許諾サーバ、コンテンツ付加サービス許諾プログラム及びプログラム記録媒体を提供することを目的とする。
【０００８】
【課題を解決するための手段】
請求項１に記載の本発明は、コンテンツに対する関連付けが希望される付加サービス又は付加コンテンツの関連付け条件と、その付加サービス又は付加コンテンツの概要情報を受け取る概要情報受取手段と、コンテンツとの関連付けが可能な付加サービス又は付加コンテンツの条件を定めた被関連付け条件を受け取り、被関連付け条件と関連付け条件との比較を行い、関連付けを許諾すべき付加サービス又は付加コンテンツの概要を表す概要情報を得る概要情報取得手段とを備えることを要旨とする。
【０００９】
請求項２に記載の本発明は、請求項１に記載の発明において、コンテンツを識別するためのコンテンツ識別子が指定されることによりコンテンツと概要情報との関連付けを要求するための関連付け要求情報が生成され、送信された場合に、関連付け要求情報を受け取る関連付け要求情報受取手段と、コンテンツとの関連付けが可能なコンテンツ識別子を定めた被関連付け条件を受け取り、被関連付け条件と指定されたコンテンツ識別子との比較を行い、要求情報受取手段により受け取られた関連付け要求情報のうち、関連付けを許諾すべき関連付け要求情報をコンテンツ識別子ごとに分類して記憶する分類記憶手段と、コンテンツ識別子が指定されることにより付加サービス又は付加コンテンツの照会要求がなされた場合に、指定されたコンテンツ識別子を有する関連付け要求情報を分類記憶手段から読み出し、送信する送信手段とを備えることを要旨とする。
【００１０】
請求項３に記載の本発明は、請求項１に記載の発明において、付加サービス又は付加コンテンツはその属性を示す属性情報を有し、属性情報が指定されることにより概要情報とコンテンツとの関連付けを要求するための関連付け要求情報が生成され、送信された場合に、関連付け要求情報を受け取る関連付け要求情報受取手段と、コンテンツとの関連付けが可能な付加サービス又は付加コンテンツが満たすべき属性情報を定めた被関連付け条件を受け取り、被関連付け条件と指定された属性情報との比較を行い、要求情報受取手段により受け取られた関連付け要求情報のうち、関連付けを許諾すべき関連付け要求情報をコンテンツ識別子ごとに分類して記憶する分類記憶手段と、コンテンツを識別するためのコンテンツ識別子が指定されることにより付加サービス又は付加コンテンツの照会要求がなされた場合に、指定されたコンテンツ識別子を有する関連付け要求情報を分類記憶手段から読み出し、送信する送信手段とを備えることを要旨とする。
【００１１】
請求項４に記載の本発明は、請求項１に記載の発明において、付加サービス又は付加コンテンツはその属性を示す属性情報を有し、属性情報が指定されることにより概要情報とコンテンツとの関連付けを要求するための関連付け要求情報が生成され、送信された場合に、関連付け要求情報を受け取る関連付け要求情報受取手段と、要求情報受取手段により受け取られた関連付け要求情報を属性情報ごとに分類して記憶する分類記憶手段と、コンテンツを識別するためのコンテンツ識別子が指定されることにより付加サービス又は付加コンテンツの照会要求がなされた場合に、コンテンツとの関連付けが可能な付加サービス又は付加コンテンツが満たすべき属性情報を定めた被関連付け条件を受け取り、被関連付け条件と指定された属性情報との比較を行い、要求情報受取手段により受け取られた関連付け要求情報のうち、関連付けを許諾すべき関連付け要求情報を分類記憶手段から読み出し、送信する送信手段とを備えることを要旨とする。
【００１２】
請求項５に記載の本発明は、請求項１に記載の発明において、付加サービス又は付加コンテンツはその属性を示す属性情報を有し、属性情報が指定されることにより概要情報とコンテンツとの関連付けを要求するための関連付け要求情報が生成され、送信された場合に、関連付け要求情報を受け取る関連付け要求情報受取手段と、要求情報受取手段により受け取られた関連付け要求情報を属性情報ごとに分類して記憶する分類記憶手段と、属性情報が指定されることにより付加サービス又は付加コンテンツの照会要求がなされた場合に、指定された属性情報により特定される関連付け要求情報を分類記憶手段から読み出し、送信する送信手段とを備えることを要旨とする。
【００１３】
請求項６に記載の本発明は、請求項１乃至５のいずれか１項に記載の発明において、コンテンツを配信するコンテンツセンタから被関連付け条件を取得し、記憶する被関連付け条件記憶手段を備えることを要旨とする。
【００１４】
請求項７に記載の本発明は、請求項１乃至５のいずれか１項に記載の発明において、コンテンツを配信するコンテンツセンタから被関連付け条件を取得する被関連付け条件取得手段を備えることを要旨とする。
【００１５】
請求項８に記載の本発明は、請求項１乃至５のいずれか１項に記載の発明において、コンテンツに埋め込まれた情報又はコンテンツに添付された情報から被関連付け条件を取得する被関連付け条件取得手段を備えることを要旨とする。
【００１６】
請求項９に記載の本発明は、請求項１乃至８のいずれか１項に記載の発明において、被関連付け条件は、コンテンツ属性情報を含むことを要旨とする。
【００１７】
請求項１０に記載の本発明は、請求項１乃至８のいずれか１項に記載の発明において、被関連付け条件は、関連付けを禁止すべき付加サービス又は付加コンテンツの条件を定めた関連付け禁止条件を含むことを要旨とする。
【００１８】
請求項１１に記載の本発明は、請求項１乃至１０のいずれか１項にに記載の発明において、関連付け条件が被関連付け条件の少なくとも一部を満たす場合に、概要情報のコンテンツに対する関連付けを許諾する許諾手段を備えることを要旨とする。
【００１９】
請求項１２に記載の本発明は、請求項１乃至１０のいずれか１項に記載の発明において、関連付け条件が被関連付け条件の全てを満たす場合に、概要情報のコンテンツに対する関連付けを許諾する許諾手段を備えることを要旨とする。
【００２０】
請求項１３に記載の本発明は、請求項１乃至１２のいずれか１項に記載の発明において、関連付け条件を指定する関連付け条件指定手段を備えることを要旨とする。
【００２１】
請求項１４に記載の本発明は、コンピュータを、コンテンツに対する関連付けが希望される付加サービス又は付加コンテンツの関連付け条件と、その付加サービス又は付加コンテンツの概要情報を受け取る概要情報受取手段と、コンテンツとの関連付けが可能な付加サービス又は付加コンテンツの条件を定めた被関連付け条件を受け取り、被関連付け条件と関連付け条件との比較を行い、関連付けを許諾すべき付加サービス又は付加コンテンツの概要を表す概要情報を得る概要情報取得手段として機能させることを要旨とする。
【００２２】
請求項１５に記載の本発明は、請求項１４に記載の発明において、コンテンツを識別するためのコンテンツ識別子が指定されることによりコンテンツと概要情報との関連付けを要求するための関連付け要求情報が生成され、送信された場合に、コンピュータを、関連付け要求情報を受け取る関連付け要求情報受取手段と、コンテンツとの関連付けが可能な識別子を定めた被関連付け条件を受け取り、被関連付け条件と指定されたコンテンツ識別子との比較を行い、要求情報受取手段により受け取られた関連付け要求情報のうち、関連付けを許諾すべき関連付け要求情報をコンテンツ識別子ごとに分類して記憶する分類記憶手段と、コンテンツ識別子が指定されることにより付加サービス又は付加コンテンツの照会要求がなされた場合に、指定されたコンテンツ識別子を有する関連付け要求情報を分類記憶手段から読み出し、送信する送信手段として機能させることを要旨とする。
【００２３】
請求項１６に記載の本発明は、請求項１４に記載の発明において、付加サービス又は付加コンテンツはその属性を示す属性情報を有し、属性情報が指定されることにより概要情報とコンテンツとの関連付けを要求するための関連付け要求情報が生成され、送信された場合に、コンピュータを、関連付け要求情報を受け取る関連付け要求情報受取手段と、コンテンツとの関連付けが可能な付加サービス又は付加コンテンツが満たすべき属性情報を定めた被関連付け条件を受け取り、被関連付け条件と指定された属性情報との比較を行い、要求情報受取手段により受け取られた関連付け要求情報のうち、関連付けを許諾すべき関連付け要求情報をコンテンツ識別子ごとに分類して記憶する分類記憶手段と、コンテンツを識別するためのコンテンツ識別子が指定されることにより付加サービス又は付加コンテンツの照会要求がなされた場合に、指定されたコンテンツ識別子を有する関連付け要求情報を分類記憶手段から読み出し、送信する送信手段として機能させることを要旨とする。
【００２４】
請求項１７に記載の本発明は、請求項１４に記載の発明において、付加サービス又は付加コンテンツはその属性を示す属性情報を有し、属性情報が指定されることにより概要情報とコンテンツとの関連付けを要求するための関連付け要求情報が生成され、送信された場合に、コンピュータを、関連付け要求情報を受け取る関連付け要求情報受取手段と、要求情報受取手段により受け取られた関連付け要求情報を属性情報ごとに分類して記憶する分類記憶手段と、コンテンツを識別するためのコンテンツ識別子が指定されることにより付加サービス又は付加コンテンツの照会要求がなされた場合に、コンテンツとの関連付けが可能な付加サービス又は付加コンテンツが満たすべき属性情報を定めた被関連付け条件を受け取り、被関連付け条件と指定された属性情報との比較を行い、要求情報受取手段により受け取られた関連付け要求情報のうち、関連付けを許諾すべき関連付け要求情報を分類記憶手段から読み出し、送信する送信手段として機能させることを要旨とする。
【００２５】
請求項１８に記載の本発明は、請求項１４に記載の発明において、付加サービス又は付加コンテンツはその属性を示す属性情報を有し、属性情報が指定されることにより概要情報とコンテンツとの関連付けを要求するための関連付け要求情報が生成され、送信された場合に、コンピュータを、関連付け要求情報を受け取る関連付け要求情報受取手段と、要求情報受取手段により受け取られた関連付け要求情報を属性情報ごとに分類して記憶する分類記憶手段と、属性情報が指定されることにより付加サービス又は付加コンテンツの照会要求がなされた場合に、指定された属性情報により特定される関連付け要求情報を分類記憶手段から読み出し、送信する送信手段として機能させることを要旨とする。
【００２６】
請求項１９に記載の本発明は、請求項１４乃至１８のいずれか１項に記載の発明において、コンピュータを、コンテンツを配信するコンテンツセンタから被関連付け条件を取得し、記憶する被関連付け条件記憶手段として機能させることを要旨とする。
【００２７】
請求項２０に記載の本発明は、請求項１４乃至１８のいずれか１項に記載の発明において、コンピュータを、コンテンツを配信するコンテンツセンタから被関連付け条件を取得する被関連付け条件取得手段として機能させることを要旨とする。
【００２８】
請求項２１に記載の本発明は、請求項１４乃至１８のいずれか１項に記載の発明において、コンピュータを、コンテンツに埋め込まれた情報又はコンテンツに添付された情報から被関連付け条件を取得する被関連付け条件取得手段として機能させることを要旨とする。
【００２９】
請求項２２に記載の本発明は、請求項１４乃至２１のいずれか１項に記載の発明において、被関連付け条件は、コンテンツ属性情報を含むことを要旨とする。
【００３０】
請求項２３に記載の本発明は、請求項１４乃至２１のいずれか１項に記載の発明において、被関連付け条件は、関連付けを禁止すべき付加サービス又は付加コンテンツの条件を定めた関連付け禁止条件を含むことを要旨とする。
【００３１】
請求項２４に記載の本発明は、請求項１４乃至２３のいずれか１項に記載の発明において、コンピュータを、関連付け条件が被関連付け条件の少なくとも一部を満たす場合に、概要情報のコンテンツに対する関連付けを許諾する許諾手段として機能させることを要旨とする。
【００３２】
請求項２５に記載の本発明は、請求項１４乃至２３のいずれか１項に記載の発明において、コンピュータを、関連付け条件が被関連付け条件の全てを満たす場合に、概要情報のコンテンツに対する関連付けを許諾する許諾手段として機能させることを要旨とする。
【００３３】
請求項２６に記載の本発明は、請求項１４乃至２５のいずれか１項に記載の発明において、コンピュータを、関連付け条件を指定する関連付け条件指定手段として機能させることを要旨とする。
【００３４】
請求項２７に記載の本発明は、請求項１４乃至２６のいずれか１項に記載のコンテンツ付加サービス許諾プログラムを記録したことを要旨とする。
【００３５】
【発明の実施の形態】
以下、図面を参照しつつ本発明のコンテンツ付加サービス許諾サーバについての説明を行う。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、実施の形態を説明するための全図において、同一の要素には同一の符号を付与し、これに関する反復説明は省略する。
【００３６】
「第１の実施の形態」
図１に、本発明の第１の実施の形態に係る付加サービス提供システムの構成を図示する。本システムは、請求項１、請求項２、請求項６に記載のコンテンツ付加サービス許諾サーバを含む。なお、請求項１、請求項２に記載のコンテンツ付加サービス許諾サーバは、請求項６に限らず請求項７、請求項８に記載の機能を有する構成とすることもできる。
【００３７】
図中の１はユーザ端末、２はインターネット網などのネットワーク、３は付加サービス又は付加コンテンツ（以下、適宜“付加サービス”と総称する）の許諾を行うコンテンツ付加サービス許諾サーバ、４はコンテンツ識別子に対して予め取得しておくコンテンツの被関連付け条件情報、５はコンテンツ識別子と利用可能な付加サービス情報との対応関係について記述する対応表、６から８の其々はサードパーティの運用するコンテンツ付加サービス提供サーバ、９は付加サービスの関連付け条件情報と提供可能な付加サービスの概要情報とその付加サービスの提供元のロケーション情報とを記述する関連付け要求情報、１０はコンテンツにユニークなコンテンツ識別子を挿入して配信するコンテンツセンタ、１１はコンテンツ識別子に対応し、関連付けが可能な付加サービスの条件を定めたコンテンツの被関連付け条件情報、１２はコンテンツである。
【００３８】
図２は、本実施の形態におけるユーザ端末１、コンテンツ付加サービス許諾サーバ３、コンテンツセンタ１０、サードパーティの運用するコンテンツ付加サービス提供サーバが６、７及び８がどのような処理を行うかを示す処理シーケンスチャートである。
【００３９】
まず、流通前に、コンテンツセンタ１０がコンテンツにユニークなコンテンツ識別子を挿入する（Ｓ２１）。コンテンツは、音楽、静止画、動画、テキストなどのメディア、又はその複合物である。コンテンツ識別子が挿入されたコンテンツは、ネットワーク経由でユーザ端末に配信される。このときネットワーク経由の配送手段としては、電子メール添付、ＦＴＰ（Ｆｉｌｅ  Ｔｒａｎｓｆｅｒ  Ｐｒｏｔｏｃｏｌ）やＷＷＷ（Ｗｏｒｌｄ  Ｗｉｄｅ  Ｗｅｂ）によるダウンロード等である。この他、ネットワークを介さず、デジタル放送、ＣＤ−ＲＯＭ（Ｃｏｍｐａｃｔ  Ｄｉｓｋ  Ｒｅａｄ  Ｏｎｌｙ  Ｍｅｍｏｒｙなどのパッケージメディア、フレキシブルディスクやＭＯ（Ｍａｇｎｅｔｏ  Ｏｐｔｉｃａｌ）ディスクのような書き換え可能な媒体、紙の上への印刷やアナログテープへの録音やプリントアウトのような配信手段を使う例も考えられる。
【００４０】
ユーザ端末１では、コンテンツから、埋め込まれたコンテンツ識別子を読み出す（Ｓ２２）。ユーザ端末１はコンテンツ識別子をコンテンツ付加サービス許諾サーバ３に送信し、そのコンテンツに対して利用可能な付加サービスの一覧を要求する。
【００４１】
一方、コンテンツセンタ１０は、コンテンツ付加サービス許諾サーバに対して、コンテンツ識別子に対応する形式で、コンテンツの被関連付け条件情報を登録する。
【００４２】
図３に、上記のコンテンツの被関連付け条件情報の構成例を示す。比関連付け条件は、この図に示すように、コンテンツ識別子ごとに、付加サービスを該コンテンツに関連付けて良いか否かが○と×の記号で示された一覧表の形式となっている。
【００４３】
図２において、サードパーティの運用するコンテンツ付加サービス提供サーバは６、７及び８は、どのような付加サービス提供が可能であるのかを問うための関連付け要求を、コンテンツ付加サービス許諾サーバ３に対して行う。
【００４４】
ＩＰＲ（Ｉｎｔｅｌｌｅｃｔｕａｌ  Ｐｒｏｐｅｒｔｙ  Ｒｉｇｈｔ：知的財産権）データベース等を有するコンテンツセンタ１０により、流通されるコンテンツの実体と、それらのコンテンツに割り付けられているコンテンツ識別子と、それらのコンテンツの有する属性とについては公開されているので、コンテンツ付加サービス提供サーバ６、７及び８は、この公開情報に基づいて、コンテンツセンタ１０の登録したコンテンツの被関連付け条件情報と対応を取りつつ、自分の提供する付加サービスの概要情報と自分のロケーションの情報をコンテンツ付加サービス許諾サーバ３に関連付けする。
【００４５】
図４に、この関連付け要求情報の構成例を示す。関連付け要求情報は、この図に示すように、コンテンツ識別子ごとに、付加サービスの概要情報、その提供サーバのロケーション情報が一覧表の形式となっている。ロケーションに関しては、ＩＰ（Ｉｎｔｅｒｎｅｔ  Ｐｒｏｔｏｃｏｌ）アドレスのようなサーバの論理位置を示す記述となっているが、最も単純な場合、このロケーションに、コンテンツがダウンロード可能なＵＲＬを直接書き込むことも可能である。なお、関連付け番号は、後に関連付け要求情報を変更要求したい場合に、サードパーティが指定する番号である。
【００４６】
図２において、コンテンツ付加サービス許諾サーバ３では、その関連付け要求情報にあるコンテンツ識別子を、予め取得してあるコンテンツの被関連付け条件情報と比較し、付加サービスを関連付けてもよいコンテンツのコンテンツ識別子を取得し（Ｓ２３）、コンテンツ識別子と付加サービス情報との対応関係について記述した対応表を作成する（Ｓ２４）。
【００４７】
図５に、この対応表の構成例を示す。対応表は、この図に示すように、コンテンツ識別子ごとに、付加サービスの概要情報、その提供サーバのロケーション情報が一覧表の形式となっている。この図に示す対応表では、付加サービスを関連付けてよいコンテンツ識別子｛１２３｝を有するコンテンツに対する付加サービス「関連商品販売」が関連付けされ、同様の比較にて「関連コンテンツ紹介」が関連付けされない例を示している。付加サービス「二次利用代行」「コンテンツ利用履歴表示」は、既に関連付け済の情報の例を示している。なお、この例では既に２つのコンテンツ属性条件が関連付けられているため、付加サービス「関連商品販売」には関連付け番号０３が払い出される。後に関連付け要求情報を変更要求したい場合に備え、サードパーティの運用する付加サービス提供サーバ６、７及び８に関連付け番号が通知される。
【００４８】
図２において、ユーザ端末１よりコンテンツ付加サービス許諾サーバ３に対して対象コンテンツのコンテンツ識別子が送信されてきた場合、コンテンツ付加サービス許諾サーバ３は、前記コンテンツ識別子と付加サービス情報との対応関係について記述した対応表を用いて、該当するコンテンツ識別子から、そのコンテンツに対して提供可能な付加サービス情報とそれを提供する付加サービス提供サーバのロケーション情報の一覧情報（付加サービス情報）を取得する（Ｓ２５）。そして、その取得した情報をユーザ端末１に送信する。
【００４９】
ユーザ端末１では、この情報を用いて、必要な付加サービスを選択する。例えばコンテンツ識別子「１２３」を指定して照会要求して得られた付加サービス一覧「二次利用許諾代行」「関連商品販売」の中から「関連商品販売」を選択し、付加サービス提供サーバのロケーション情報にもとづいてユーザ端末は商品の情報を取得する（Ｓ２６）。
【００５０】
ここで、コンテンツセンタ１０においては、既に登録したコンテンツの被関連付け条件情報を、コンテンツ識別子ごとに変更したい場合がありえる。同じくサードパーティおいては、既に関連付けした付加サービスの関連付け条件情報を変更したい場合がありえる。そのような場合には、それらの変更要求情報にもとづいて対応表を更新しておく。付加サービスの概要情報やロケーション情報の変更の場合は、単純に対応表の該当情報の更新で済むが、付加サービスの関連付け条件情報の変更の場合は、対応付けを再度行って対応表を再作成する必要がある（Ｓ２７、Ｓ２８）。
【００５１】
コンテンツセンタ１０からのコンテンツの被関連付け条件情報変更要求に対しては、コンテンツ識別子ごとにコンテンツの被関連付け条件情報の変更を行えばよい。
【００５２】
図６に、サードパーティからの変更要求情報の構成例を示す。変更要求情報は、この図に示すように、各関連付け番号ごとに、コンテンツ識別子、付加サービスの概要情報、その提供サーバのロケーション情報が一覧表の形式と成っている。変更でなくそもそも付加サービスを削除した場合は、例えばコンテンツ属性条件に何も書かないことによって削除を指定する。この図では、関連付け番号００３の付加サービスの関連付け条件情報を１２３から１２５に、ロケーションを  ．２０から  ．２２に変更する例及び、関連付け番号００２の関連付け要求情報を削除する例を示している。
【００５３】
図７に、この変更要求情報にもとづいて再作成された対応表の例を示す。図５の対応表と比べ、付加サービス「関連商品販売」に対応付けられるコンテンツ識別子が１２３から１２５に変更されている。また、付加サービス「コンテンツ利用履歴表示」が無くなっている。
【００５４】
図８及び９に、コンテンツ付加サービス許諾サーバで実行される処理の一例を図示する。
次に、この処理フローにしたがって、コンテンツ付加サービス許諾サーバが実行する処理について説明する。
【００５５】
（１）コンテンツセンタからの登録／変更要求に対して実行する処理
図８（ａ）に示すように、コンテンツ付加サービス許諾サーバは、コンテンツセンタからのコンテンツ識別子とコンテンツの被関連付け条件情報の登録／変更要求があるまで待機する。そして登録要求があった場合（Ｓ８１ａ：Ｙｅｓ）、コンテンツ識別子とコンテンツの被関連付け条件情報を登録する（Ｓ８２ａ）。また、被関連付け情報の変更要求があった場合（Ｓ８３ａ：Ｙｅｓ）、コンテンツ識別子ごとのコンテンツの被関連付け条件情報を変更する（Ｓ８４ａ）。
【００５６】
次に、（Ａ）、（Ｂ）いずれかの登録／変更があった場合（Ｓ８５ａ：Ｙｅｓ）、対応表を更新するために、その登録／変更したコンテンツの被関連付け条件情報から、付加サービスを関連付けてよいコンテンツのコンテンツ識別子を取得し（Ｓ８６ａ）、コンテンツ識別子とコンテンツ付加サービス提供サーバとの対応表を再作成する（Ｓ８７ａ）。
【００５７】
（２）サードパーティからの関連付け／変更要求に対して実行する処理
図８（ｂ）に示すように、コンテンツ付加サービス許諾サーバは、サードパーティからの付加サービスの関連付け条件情報と付加サービスの関連付け／変更要求があるまで待機する。そして関連付け要求があった場合（Ｓ８１ｂ：Ｙｅｓ）、予め取得してあるコンテンツの被関連付け条件情報から、付加サービスを関連付けてよいコンテンツのコンテンツ識別子を取得し（Ｓ８２ｂ）、コンテンツ識別子とコンテンツ付加サービス提供サーバとの対応表を作成する（Ｓ８３ｂ）。そして関連付け番号を払い出し、付加サービス提供サーバに通知する（Ｓ８４ｂ）。また、関連付け番号を指定してコンテンツ識別子や付加サービスの変更要求があった場合（Ｓ８５ｂ：Ｙｅｓ）、コンテンツ識別子の変更が無ければ（Ｓ８６ｂ：Ｎｏ）、単に対応表を再作成する。一方、コンテンツ識別子の変更があれば（Ｓ８６ｂ：Ｙｅｓ）、予め取得してあるコンテンツの被関連付け条件情報から、付加サービスを関連付けてよいコンテンツのコンテンツ識別子を取得し（Ｓ８７ｂ）、コンテンツ識別子とコンテンツ付加サービス提供サーバとの対応表を再作成する（Ｓ８８ｂ）。
【００５８】
（３）ユーザ端末からの照会要求に対して実行する処理
図９に示すように、コンテンツ付加サービス許諾サーバは、ユーザ端末からコンテンツ識別子を指定して付加サービス一覧の照会要求があるまで待機する。そして照会要求があった場合（Ｓ９１：Ｙｅｓ）、対応表から該当コンテンツ識別子に対する付加サービス情報を取得する（Ｓ９２）。次に、ユーザ端末に付加サービス一覧を送信する（Ｓ９３）。
【００５９】
上記のように構成された本実施の形態におけるコンテンツ付加サービス許諾サーバは、コンテンツ識別子を媒介としてコンテンツ付加サービスを照会するシステムに適した構成例である。
【００６０】
「第２の実施の形態」
図１０に、本発明の第２の実施の形態に係る付加サービス提供システムの構成を図示する。本構成は、請求項１、請求項３、請求項６、請求項９、請求項１０、請求項１１、請求項１２記載のコンテンツ付加サービス許諾サーバを含む。なお、請求項１、請求項３に記載のコンテンツ付加サービス許諾サーバは、請求項６に限らず請求項７、請求項８に記載の機能を有する構成とすることもできる。また、請求項９、請求項１０、請求項１１、請求項１２に記載の機能の全部ではなくその一部と組み合わせる構成とすることも可能である。
【００６１】
本実施の形態に係る付加サービス提供システムと先の第１の実施の形態に係る付加サービス提供システムとの相違点は、コンテンツ付加サービス許諾サーバがコンテンツ識別子に対して予め取得しておくコンテンツの被関連付け条件情報として、コンテンツ属性情報及び付加サービス関連付け禁止条件情報を有する点である。
【００６２】
図中の１はユーザ端末、２はインターネット網などのネットワーク、３は付加サービス許諾を行うコンテンツ付加サービス許諾サーバ、１３はコンテンツ識別子に対して予め取得しておくコンテンツ属性情報、１５はコンテンツ識別子に対して予め取得しておく付加サービス関連付け禁止条件情報、５はコンテンツ識別子と利用可能な付加サービス情報との対応関係について記述する対応表、６から８の其々はサードパーティの運用するコンテンツ付加サービス提供サーバ、９は付加サービスの属性情報と提供可能な付加サービスの概要情報とその付加サービスの提供元のロケーション情報とを記述する関連付け要求情報、１０はコンテンツにユニークなコンテンツ識別子を挿入して配信するコンテンツセンタ、１４はコンテンツ識別子に対応するコンテンツ属性情報、１６はコンテンツ識別子に対応する付加サービス関連付け禁止条件情報、１２はコンテンツである。
【００６３】
図１１に、本実施の形態におけるユーザ端末１、コンテンツ付加サービス許諾サーバ３、コンテンツセンタ１０、サードパーティの運用するコンテンツ付加サービス提供サーバ６、７及び８が、どのような処理を行うかを示す処理シーケンスチャートを示す。
【００６４】
次に、図１１にしたがって、本発明により構成される付加サービス提供システムの処理シーケンスについて説明する。
本図と図２との相違点は、コンテンツ付加サービス許諾サーバがコンテンツ識別子に対して予め取得しておくコンテンツの被関連付け条件情報として、コンテンツ属性情報及び付加サービス関連付け禁止条件情報を有する点、関連付け要求情報がコンテンツ識別子でなく付加サービスの属性情報を有する点、及びコンテンツ属性情報及び付加サービス関連付け禁止条件情報と比較して付加サービスを関連付けてよいコンテンツのコンテンツ識別子を取得する点である。
【００６５】
なお、コンテンツセンタ１０がコンテンツにユニークなコンテンツ識別子を挿入する処理から、ユーザ端末が付加サービス一覧を要求する処理までは、本発明の第１の実施の形態での処理シーケンスと同じであるので、説明を省略する。
【００６６】
一方、コンテンツセンタは、コンテンツ付加サービス許諾サーバに対して、コンテンツ識別子に対応する形式で、コンテンツ属性情報及び付加サービス関連付け禁止条件情報を登録する。
【００６７】
図１４に、このコンテンツ属性の構成例を示す。コンテンツ属性は、この図に示すように、コンテンツ識別子ごとに、各属性項目が一覧表の形式となっている。ここでは音楽コンテンツを例に取り、著作権情報である制作会社、アーティスト、内容的特徴量であるジャンル、物理的特徴量であるメディア種別等としたが、ＩＰＲ（Ｉｎｔｅｌｌｅｃｔｕａｌ  Ｐｒｏｐｅｒｔｙ  Ｒｉｇｈｔ：知的財産権）データベースなどの属性項目でもよい。
【００６８】
図１５に、この付加サービス関連付け禁止条件の構成例を示す。付加サービス関連付け禁止条件は、この図に示すように、コンテンツ識別子ごとに、禁止条件が一覧表の形式となっている。ここでは制作会社を例に取り、競合他者ｂから提供されるサービスが自社ａ制作コンテンツに関連付けられるという適切でない関連付けを禁止する条件例を示したが、制作会社以外の禁止条件や複数の禁止条件でもよい。
【００６９】
図１１において、サードパーティの運用するコンテンツ付加サービス提供サーバ６、７及び８は、どのような属性を有する付加サービス提供が可能であるのかという情報の関連付け要求を、コンテンツ付加サービス許諾サーバ３に対して行う。
【００７０】
図１６に、この関連付け要求情報の構成例を示す。関連付け要求情報は、この図に示すように、サービス属性情報ごとに、付加サービスの概要情報、その提供サーバのロケーション情報が一覧表の形式となっている。サービス属性項目に関しては、提供会社とアーティストを例に取ったが、他の項目でもよい。ロケーションに関しては、ＩＰアドレスのようなサーバの論理位置を示す記述となっているが、最も単純な場合、このロケーションに、コンテンツがダウンロード可能なＵＲＬ（Ｕｎｉｆｏｒｍ  Ｒｅｓｏｕｒｃｅ  Ｌｏｃａｔｏｒ）を直接書き込みことも可能である。なお、関連付け番号はこの関連付け要求情報においては何も書かれないが、後に関連付け要求情報を変更要求したい場合に、サードパーティが提供する番号である。
【００７１】
図１１において、コンテンツ付加サービス許諾サーバ３では、そのサービス属性情報を予め取得してあるコンテンツ属性情報及び付加サービス関連付け禁止条件情報と比較し、サービス属性情報に該当するコンテンツ属性情報及び付加サービス関連付け禁止条件情報からコンテンツ識別子を取得し（Ｓ１１３）、コンテンツ識別子と付加サービス情報との対応関係について記述する対応表を作成しておく（Ｓ１１４）。
【００７２】
なお、本実施の形態では、上記の比較の方法として、コンテンツと似た属性を有する付加サービスは関連付けを可能な限り多く行い、関連付け禁止条件に該当する付加サービスは絶対に関連付けを行わないことが好適であるため、属性情報は少なくとも一部の項目が一致するものを取得し、かつ禁止条件は必ず満たすものを取得することとする。ただし、他の比較方法でもよい。
【００７３】
図１７に、この対応表の構成例を示す。対応表は、この図に示すように、コンテンツ識別子ごとに、付加サービスの概要情報、その提供サーバのロケーション情報が一覧表の形式となっている。この図に示す対応表では、上記の比較により、コンテンツ識別子「１２３」を有するコンテンツ（制作会社＝ａ、ジャンル＝ｃ、アーティスト＝ｅ、メディア種別＝ｈ、かつ提供会社ｂ禁止）に関連付けてよい付加サービス（制作会社＝ａ、アーティスト＝ｅの関連商品販売サービス）が関連付けされ、同様の比較により、コンテンツ識別子「１２４」を有するコンテンツに関連コンテンツ紹介サービスが関連付けされ、提供会社ｂの関連商品販売サービスが関連付けされない例を示している。付加サービス「二次利用代行」「コンテンツ利用履歴表示」は、既に関連付け済の情報の例を示している。なお、この例では既に２つの付加サービスが関連付け済であるため、付加サービス「関連商品販売」「関連コンテンツ紹介」には関連付け番号０３、０４が払い出される。後に関連付け要求情報を変更要求したい場合に、サードパーティが指定できるように、サードパーティの運用とする付加サービス提供サーバに関連付け番号が通知される。
【００７４】
その後のユーザ端末１での処理は、本発明の第１の実施の形態での処理シーケンスと同じであるので、説明を省略する。
【００７５】
ここで、コンテンツセンタ１０は、既に登録したコンテンツ属性情報や付加サービス関連付け条件禁止情報を、コンテンツ識別子ごとに変更したい場合がありえる。同じくサードパーティは、既に関連付けしたサービス属性情報や付加サービスを変更したい場合がありえる。そのような場合には、それらの変更要求情報に基づいて対応表を更新しておく。付加サービスの概要情報やロケーション情報の変更の場合は、単純に対応表の該当情報の更新で済むが、サービス属性情報の変更の場合は、対応付けを再度行って対応表を再作成する必要がある。
【００７６】
コンテンツセンタ１０からの属性情報や禁止条件情報の変更要求に対しては、コンテンツ識別子ごとに属性情報や禁止条件情報の変更を行えばよい。
【００７７】
図１８に、サードパーティからの変更要求情報の構成例を示す。変更要求情報は、この図に示すように、登録番号ごとに、サービス属性項目、付加サービスの概要情報、その提供サーバのロケーション情報が一覧表の形式となっている。変更でなくそもそも付加サービスを削除した場合は、例えばサービス属性情報に何も書かないことによって作事を指定する。この図では、関連付け番号００３の関連付け要求情報のサービス属性情報を「アーティスト＝ｅ」からｇに、ロケーションを  ．２０から  ．２２に変更する例及び、関連付け番号００４の関連付け要求情報を削除する例を示している。
【００７８】
図１９に、この変更要求情報にもとづいて再作成された対応表の例を示す。図１５の対応表と比べ、付加サービス「関連商品販売」に対応付けられるコンテンツ識別子が１２３から１２５に変更されている。また、付加サービス「関連コンテンツ紹介」が無くなっている。
【００７９】
図１２に、本発明の第２の実施の形態におけるユーザ端末１、コンテンツ付加サービス許諾サーバ３、コンテンツセンタ１０、サードパーティの運用するコンテンツ付加サービス提供サーバ６、７及び８がどのような処理を行うかを示す処理シーケンスチャートの別の例を示す。
【００８０】
本図と図１１との相違点は、コンテンツ属性情報や付加サービス関連付け禁止条件情報の変更要求がコンテンツセンタからなされる代わりに、コンテンツ付加サービス許諾サーバがコンテンツセンタに属性情報や禁止条件情報を問い合わせる点である。これは、コンテンツセンタが問合せに対して属性情報や禁止条件情報を検索して返信する手段を備えている場合に好適な実施の形態である。
【００８１】
また、本発明の第１の実施の形態に比べ、コンテンツセンタから予め取得するコンテンツの被関連付け条件情報の量が多い、すなわち情報の追加・削除・変更の量も多い場合に好適な実施の形態である。
【００８２】
次に、図１２にしたがって、本発明により構成される付加サービス提供システムの処理シーケンスについて説明する。
なお、本図のＳ１２６までの処理は、図１１の処理Ｓ１１６と同様であるため、説明を省略する。
【００８３】
図示するとおり、コンテンツ付加サービス許諾サーバ３は、Ｓ１２５の実行後、前述のとおり、コンテンツセンタ１０に対して、コンテンツ識別子ごとに属性情報・禁止条件情報を問い合わせ、これらに関して返信を受けるが、上記の処理は定期的、つまり予め定められた所定のタイミング（時期）で行われる。
【００８４】
なお、この所定のタイミングの一例とあしては、１日ごと、１週間ごと、１ヶ月ごと、１２：００といった特定の時刻等が挙げられる。
【００８５】
コンテンツ付加サービス許諾サーバ３は、上記のとおり返信を受けると、コンテンツ識別子とコンテンツ付加サービス提供サーバとの対応表を再作成する（Ｓ１２７）。この際、必要に応じて、付加サービスに関連付けてよいコンテンツのコンテンツ識別子が事前に取得される。
なお、本図で示した処理と図１１で示した処理とを組み合わせて実行する構成とすることもできる。
【００８６】
図１３に、本発明の第２の実施の形態におけるユーザ端末１、コンテンツ付加サービス許諾サーバ３、コンテンツセンタ１０、サードパーティの運用するコンテンツ付加サービス提供サーバ６、７及び８がどのような処理を行うかを示す処理シーケンスチャートの別の例を示す。
【００８７】
本図と図１２との相違点は、コンテンツ付加サービス許諾サーバがコンテンツセンタにコンテンツ属性情報や付加サービス関連付け禁止条件情報を問い合わせる前に、属性情報や禁止条件情報の変更の有無を問い合わせ、変更のあった属性情報や禁止条件情報のみを問い合わせる点である。これは、コンテンツセンタが問合せに対して属性情報や禁止条件情報を検索して返信する手段と共に、前回問い合わせ時からの変更情報を記憶する手段を備えている場合に、さらに好適な実施の形態である。
【００８８】
また、本発明の第１の実施の形態に比べ、コンテンツセンタから予め取得するコンテンツの被関連付け条件情報の項目数が多く、すなわち情報の追加・削除・変更の項目数も多い場合がある本発明の第２の実施の形態において、更に好適な実施の形態である。
【００８９】
次に、図１３にしたがって、本発明により構成される付加サービス提供システムの処理シーケンスについて説明する。
なお、本図のＳ１３６までの処理は、図１２の処理Ｓ１２６と同様であるため、説明を省略する。
【００９０】
図示するとおり、コンテンツ付加サービス許諾サーバ３は、Ｓ１２５の実行後、前述のとおり、コンテンツセンタ１０に対して、コンテンツ識別子ごとに属性情報・禁止条件情報の変更の有無を問い合わせ、これらに関して返信を受け、変更のあった属性情報・禁止条件情報のみを問い合わせ、これに関しても返信を受ける。
【００９１】
上記の処理は、図１２で示した処理と同様に、定期的、つまり予め定められた所定のタイミング（時期）で行われる。
なお、ここでいう所定のタイミングは、前術のそれと同様である。
【００９２】
コンテンツ付加サービス許諾サーバ３は、上記のとおり返信を受けると、コンテンツ識別子とコンテンツ付加サービス提供サーバとの対応表を再作成する（Ｓ１３７）。この際、必要に応じて、付加サービスに関連付けてよいコンテンツのコンテンツ識別子が事前に取得される。
なお、本図で示した処理と図１１で示した処理とを組み合わせて実行する構成とすることもできる。
【００９３】
図２０から２３に、コンテンツ付加サービス許諾サーバで実行される処理の一例を図示する。
次に、この処理フローにしたがって、コンテンツ付加サービス許諾サーバが実行する処理について説明する。
【００９４】
（１）コンテンツセンタからの登録／変更要求に対して実行する処理
図２０（ａ）に示すように、コンテンツ付加サービス許諾サーバは、コンテンツセンタからのコンテンツ識別子とコンテンツ属性情報や付加サービス関連付け禁止条件情報の登録／変更要求があるまで待機する。そして登録要求があった場合（Ｓ２０１ａ：Ｙｅｓ）、コンテンツ識別子と属性情報や禁止条件情報を登録する（Ｓ２０２ａ）。また、属性情報、禁止条件情報の変更要求があった場合（Ｓ２０３ａ：Ｙｅｓ）、コンテンツ識別子ごとの属性情報や禁止条件情報を変更する（Ｓ２０４ａ）。
【００９５】
次に、（Ａ）、（Ｂ）いずれかの登録／変更があった場合（Ｓ２０５ａ：Ｙｅｓ）、対応表を更新するために、その登録／変更した属性情報や禁止条件情報から、付加サービスを関連付けてよいコンテンツのコンテンツ識別子を取得し（Ｓ２０６ａ）、コンテンツ識別子とコンテンツ付加サービス提供サーバとの対応表を再作成する（Ｓ２０７ａ）。
【００９６】
（２）サードパーティからの関連付け／変更要求に対して実行する処理
図２０（ｂ）に示すように、コンテンツ付加サービス許諾サーバは、サードパーティからのサービス属性情報と付加サービスの登録／変更要求があるまで待機する。そして関連付け要求があった場合（Ｓ２０１ｂ：Ｙｅｓ）、予め取得してあるコンテンツ属性情報や付加サービス関連付け禁止条件情報から、付加サービスを関連付けてよいコンテンツのコンテンツ識別子を取得し（Ｓ２０２ｂ）、コンテンツ識別子とコンテンツ付加サービス提供サーバとの対応表を作成する（Ｓ２０３ｂ）。そして関連付け番号を払い出し、付加サービス提供サーバに通知する（Ｓ２０４ｂ）。また、関連付け番号を指定してサービス属性情報・付加サービスの変更要求があった場合（Ｓ２０５ｂ：Ｙｅｓ）、サービス属性情報の変更が無ければ単純に対応表を再作成する（Ｓ２０６ｂ：Ｎｏ）。一方、サービス属性情報の変更があれば（Ｓ２０６ｂ：Ｎｏ）、予め取得してあるコンテンツ属性情報や付加サービス関連付け禁止条件情報から、付加サービスを関連付けてよいコンテンツのコンテンツ識別子を取得し（Ｓ２０７ｂ）、コンテンツ識別子とコンテンツ付加サービス提供サーバとの対応表を再作成する（Ｓ２０８ｂ）。
【００９７】
（３）ユーザ端末からの照会要求に対して実行する処理
図２１に示すように、コンテンツ付加サービス許諾サーバは、ユーザ端末からコンテンツ識別子を指定して付加サービス一覧の照会要求があるまで待機する。そして照会要求があった場合（Ｓ２１１：Ｙｅｓ）、対応表から該当コンテンツ識別子に対する付加サービス情報を取得する（Ｓ２１２）。次に、ユーザ端末に付加サービス一覧を送信する（Ｓ２１３）。
【００９８】
（４）所定のタイミングで実行する処理Ａ
図２２に、図１２に対応し、上記の処理（１）に代えて実行される処理のフローを示す。
【００９９】
次に、この処理フローにしたがって、コンテンツ付加サービス許諾サーバが実行する処理について説明する。
【０１００】
コンテンツ付加サービス許諾サーバは、前述のとおり、所定のタイミング（時期）で動作を行うことができる。図２２は、この場合の処理を示している。
【０１０１】
コンテンツ付加サービス許諾サーバは、所定のタイミングまで待機し、現在時刻（日時）が所定のタイミングであると（Ｓ２２１：Ｙｅｓ）、コンテンツセンタへコンテンツ識別子を指定して属性情報・禁止条件情報を問い合わせ（Ｓ２２２）、返信されたコンテンツ属性情報・禁止条件情報に基づいて付加サービスを関連付けてよいコンテンツのコンテンツ識別子を取得し（Ｓ２２３）、取得したコンテンツ識別子とコンテンツ付加サービス提供サーバとの対応表を再作成する（Ｓ２２４）。
【０１０２】
なお、この処理（４）と図２０（ａ）の処理（１）とを組み合わせて、実行する構成とすることもできる。
【０１０３】
（５）所定のタイミングで実行する処理Ｂ
図２３に、図１３に示した処理に対応し、前記の所定のタイミングで実行される処理の別の例を示す。
なお、ここでいう所定のタイミングとは、処理（４）における所定のタイミングと同様である。
【０１０４】
コンテンツ付加サービス許諾サーバは、所定のタイミングまで待機し、現在時刻（日時）が所定のタイミングであると（Ｓ２３１：Ｙｅｓ）、コンテンツセンタへコンテンツ識別子を指定して属性情報・禁止条件情報の変更の有無を問い合わせ（Ｓ２３２）、属性情報・禁止条件情報の変更があると（Ｓ２３３：Ｙｅｓ）、コンテンツセンタへコンテンツ識別子を指定して属性情報・禁止条件情報を問い合わせ（Ｓ２３４）、返信されたコンテンツ属性情報・禁止条件情報に基づいて付加サービスを関連付けてよいコンテンツのコンテンツ識別子を取得し（Ｓ２３５）、取得したコンテンツ識別子とコンテンツ付加サービス提供サーバとの対応表を再作成する（Ｓ２３６）。
【０１０５】
なお、この処理（５）と図２０（ａ）の処理（１）とを組み合わせて実行する構成とすることもできる。
【０１０６】
上記のように構成された本実施の形態におけるコンテンツ付加サービス許諾サーバは、コンテンツセンタ及びサードパーティからの関連付け要求の処理が大きく、逆にユーザ端末からの照会要求の処理が小さいことから、例えば、ユーザが多く照会のレスポンスを重視すべきシステムに適した構成例である。
【０１０７】
「第３の実施の形態」
図２４に、本発明の第３の実施の形態に係る付加サービス提供システムの構成を図示する。本構成は、請求項１、請求項４、請求項７、請求項９、請求項１０、請求項１１、請求項１２に記載のコンテンツ付加サービス許諾サーバを含む。なお、請求項１、請求項４に記載のコンテンツ付加サービス許諾サーバは、請求項７に限らず請求項６、請求項８に記載の機能を有する構成とすることもできる。また、請求項９、請求項１０、請求項１１、請求項１２に記載の機能の全部ではなくその一部と組み合わせる構成とすることも可能である。
【０１０８】
本実施の形態に係る付加サービス提供システムと先の第２の実施の形態に係る付加サービス提供システムとの相違点は、コンテンツ付加サービス許諾サーバがコンテンツ識別子に対して予め取得しておくコンテンツ属性情報や付加サービス関連付け禁止条件情報そのものは持たず、代わりに属性情報や禁止条件情報を有するコンテンツセンタのロケーション情報のみを有する点である。
【０１０９】
図中の１はユーザ端末、２はインターネット網などのネットワーク、３は付加サービス許諾を行うコンテンツ付加サービス許諾サーバ、１７はコンテンツ識別子に対して予め取得しておくコンテンツセンタ情報、５はサービス属性情報と利用可能な付加サービス情報との対応関係について記述する対応表、６から８の其々はサードパーティの運用するコンテンツ付加サービス提供サーバ、９はサービス属性情報と提供可能な付加サービスの概要情報とその付加サービスの提供元のロケーション情報とを記述する関連付け要求情報、１０はコンテンツにユニークなコンテンツ識別子を挿入して配信するコンテンツセンタ、１４はコンテンツ識別子に対応するコンテンツ属性情報、１６はコンテンツ識別子に対応する付加サービス関連付け禁止条件情報、１２はコンテンツである。
【０１１０】
図２５に、本実施の形態における、ユーザ端末１、コンテンツ付加サービス許諾サーバ３、コンテンツセンタ１０、サードパーティの運用するコンテンツ付加サービス提供サーバ６、７及び８が、どのような処理を行うかを示す処理シーケンスチャートを示す。
【０１１１】
本図と図１１との相違点は、コンテンツ付加サービス許諾サーバが作成する対応表が、コンテンツ識別子ではなくサービス属性情報を有する点、及びユーザ端末からの照会要求に応じて、コンテンツ属性情報及び付加サービス関連付け禁止条件情報を取得してコンテンツに関連付けてよい対応表の付加サービス情報を取得する点である。
【０１１２】
次に、図２５にしたがって、本発明により構成される付加サービス提供システムの処理シーケンスについて説明する。
なお、コンテンツセンタ１０がコンテンツにユニークなコンテンツ識別子を挿入する処理から、ユーザ端末が付加サービス一覧を要求する処理までは、本発明の第１の実施の形態での処理シーケンスと同じであるので、説明を省略する。
【０１１３】
コンテンツセンタ１０は、コンテンツ付加サービス許諾サーバ３に対して、コンテンツ識別子に対応する形式で、コンテンツセンタ情報を登録する。
【０１１４】
図２６に、このコンテンツセンタ情報の構成例を示す。コンテンツセンタ情報は、この図に示すように、コンテンツセンタのロケーション情報がコンテンツ識別子ごとに分類された一覧表の形式となっている。
【０１１５】
なお、コンテンツ識別子１２５−１３０のように、コンテンツセンタが一括して複数の対応関係を登録する構成も可能である。これは、コンテンツ識別子がコンテンツに挿入されるたびにコンテンツセンタ情報を登録することができないコンテンツセンタがある場合に、好適な構成例である。例えば、コンテンツセンタが保有するコンテンツ識別子を予め一括してコンテンツ付加サービス許諾サーバに登録しておき、後にコンテンツ識別子がコンテンツに挿入され流通する場合に利用されるという方法が考えられる。
【０１１６】
図２５において、サードパーティの運用するコンテンツ付加サービス提供サーバ６、７及び８は、どのような属性を有する付加サービス提供が可能であるのかという情報の関連付け要求を、コンテンツ付加サービス許諾サーバに対して行う。この関連付け要求情報の構成例は、本発明の第２の実施の形態での構成例を示す図１６と同じであるので、説明を省略する。
【０１１７】
コンテンツ付加サービス許諾サーバ３では、登録要求情報をもとに、サービス属性情報と付加サービス情報との対応関係について記述する対応表を作成しておく（Ｓ２５３）。
【０１１８】
図２７に、この対応表の構成例を示す。対応表は、この図に示すように、付加サービスの概要情報、その提供サーバのロケーション情報がサービス属性情報ごとに分類された一覧表の形式となっている。この図に示す対応表では、サービス属性情報「制作会社＝ａ、アーティスト＝ｅ」に対する付加サービス「の関連商品販売」が関連付けされ、同様に「関連コンテンツ紹介」、他の「関連商品販売」が関連付けされる例を示している。さらに関連付け番号が払い出されると共に、後に関連付け要求情報を変更したい場合に、サードパーティが指定できるように、サードパーティの運用する付加サービス提供サーバに関連付け番号が通知される。
【０１１９】
図２５において、ユーザ端末１よりコンテンツ付加サービス許諾サーバ３に対して対象コンテンツのコンテンツ識別子が送信されてきた場合、コンテンツ付加サービス許諾サーバ３は、コンテンツセンタのロケーション情報にもとづいてコンテンツ属性情報及び付加サービス関連付け禁止条件情報を問い合わせ、コンテンツ属性情報及び付加サービス関連付け禁止条件情報を、コンテンツセンタから取得する。取得したコンテンツ属性情報及び付加サービス関連付け禁止条件情報は、対応表のサービス属性情報と比較され、コンテンツに関連付けてよい付加サービスの情報とそれを提供する付加サービス提供サーバのロケーション情報の一覧情報を取得する（Ｓ２５４）。そして、その取得した情報をユーザ端末１に送信する。
【０１２０】
ユーザ端末１で、例えばコンテンツ識別子「１２３」を指示して照会要求した場合、コンテンツ識別子「１２３」を有するコンテンツの属性情報（制作会社＝ａ、ジャンル＝ｃ、アーティスト＝ｅ、メディア種別＝ｈ、）の少なくとも一部を満たし、かつ禁止条件情報（サービス提供会社ｂ禁止）を必ず満たすサービス属性情報（制作会社＝ａ、アーティスト＝ｅ）を有する付加サービス「関連商品販売」が取得され、一覧情報としてユーザ端末に送信される。別のサービス属性情報にも同時に該当した場合、それを有する付加サービス（例えば「二次利用許諾代行」も送信される。
【０１２１】
その後のユーザ端末１での処理は、本発明の第１の実施の形態での処理シーケンスと同じであるので、説明を省略する。
【０１２２】
ここで、サードパーティの運用するコンテンツ付加サービス提供サーバ６、７及び８においては、既に関連付けしたサービス属性情報や付加サービスを変更したい場合がありえる。そのような場合には、それらの変更要求情報にもとづいて対応表を更新しておく（Ｓ２５６）。
【０１２３】
また、コンテンツセンタ１０からのセンタ情報変更要求に対しては、コンテンツ識別子ごとにセンタ情報の変更を行えばよい。
【０１２４】
また、サードパーティからの変更要求に対しても、本発明の第２の実施の形態での対応表と異なり、サービス属性情報ごとの対応表であるため、対応付けを再度行う必要はなく、単純に対応表の該当情報の変更を行えばよい。
【０１２５】
図２８及び２９に、コンテンツ付加サービス許諾サーバで実行される処理の一例を図示する。
次に、この処理フローにしたがって、コンテンツ付加サービス許諾サーバが実行する処理について説明する。
【０１２６】
（１）コンテンツセンタからの登録要求に対して実行する処理
図２８（ａ）に示すように、コンテンツ付加サービス許諾サーバは、コンテンツセンタからのコンテンツ識別子とセンタ情報の登録要求があるまで待機する。そして登録要求があった場合（Ｓ２８１ａ：Ｙｅｓ）、コンテンツ識別子とセンタ情報を登録する（Ｓ２８２ａ）。また、センタ情報の変更要求があった場合（Ｓ２８３ａ：Ｙｅｓ）、コンテンツ識別子ごとのセンタ情報を変更する（Ｓ２８４ａ）。
【０１２７】
（２）サードパーティからの関連付け要求に対して実行する処理
図２８（ｂ）に示すように、コンテンツ付加サービス許諾サーバは、サードパーティからのサービス属性情報と付加サービスの関連付け要求があるまで待機する。そして関連付け要求があった場合（Ｓ２８１ｂ：Ｙｅｓ）、サービス属性情報とコンテンツ付加サービス提供サーバとの対応表を作成する（Ｓ２８２ｂ）。そして関連付け番号を払い出し、付加サービス提供サーバに通知する（Ｓ２８３ｂ）。また、関連付けを指定してサービス属性情報・付加サービスの変更要求があった場合（Ｓ２８４ｂ：Ｙｅｓ）、対応表を再作成する（Ｓ２８５ｂ）。
【０１２８】
（３）ユーザ端末からの照会要求に対して実行する処理
図２９に示すように、コンテンツ付加サービス許諾サーバは、ユーザ端末からコンテンツ識別子を指定して付加サービス一覧の照会要求があるまで待機する。そして照会要求があった場合（Ｓ２９１：Ｙｅｓ）、そのコンテンツ識別子に対するコンテンツ属性情報・付加サービス関連付け禁止条件情報をコンテンツセンタに問い合わせ（Ｓ２９２）、コンテンツ属性情報・付加サービス関連付け禁止条件情報からコンテンツに関連付けてよい付加サービス情報とロケーション情報を取得する（Ｓ２９３）。そしてユーザ端末に付加サービス一覧を送信する（Ｓ２９４）。
【０１２９】
上記のように構成された本実施の形態におけるコンテンツ付加サービス許諾サーバは、コンテンツセンタ及びサードパーティからの関連付け要求の処理量が少なく、逆にユーザ端末からの照会要求の処理量が多いことから、例えば、コンテンツセンタ及びサードパーティが多く、登録のレスポンスを重視すべきシステムに適した構成例である。
【０１３０】
「第４の実施の形態」
図３０に、本発明の第４の実施の形態に係る付加サービス提供システムの構成を図示する。本構成は、請求項１、請求項５、請求項８、請求項９、請求項１０、請求項１１、請求項１２に記載のコンテンツ付加サービス許諾サーバを含む。なお、請求項１、請求項５に記載のコンテンツ付加サービス許諾サーバは、請求項８に限らず請求項６、請求項７に記載の機能を有する構成とすることもできる。また、請求項９、請求項１０、請求項１１、請求項１２に記載の機能の全部ではなくその一部と組み合わせる構成とすることも可能である。
【０１３１】
本実施の形態に係る付加サービス提供システムと先の本発明の第３の実施の形態に係る付加サービス提供システムとの相違点は、コンテンツセンタがコンテンツ属性情報及び付加サービス関連付け禁止条件情報を有さず、コンテンツ属性情報及び付加サービス関連付け禁止条件情報がコンテンツに挿入されてコンテンツと共に配信される点、コンテンツ付加サービス許諾サーバがコンテンツセンタ情報を有しない点である。
【０１３２】
図中、１はユーザ端末、２はインターネット網などのネットワーク、３は付加サービス許諾を行うコンテンツ付加サービス許諾サーバ、５はサービス属性情報と利用可能な付加サービス情報との対応関係について記述する対応表、６から８の其々はサードパーティの運用するコンテンツ付加サービス提供サーバ、９はサービス属性情報と提供可能な付加サービスの概要情報とその付加サービスの提供元のロケーション情報とを記述する関連付け要求情報、１０はコンテンツにコンテンツ属性情報及び付加サービス関連付け禁止条件情報を挿入して配信するコンテンツセンタ、１２はコンテンツ、１４はコンテンツに挿入されたコンテンツ属性情報、１６はコンテンツに挿入された付加サービス関連付け禁止条件情報である。
【０１３３】
図３１に、本実施の形態におけるユーザ端末１、コンテンツ付加サービス許諾サーバ３、コンテンツセンタ１０、サードパーティの運用するコンテンツ付加サービス提供サーバ６、７及び８が、どのような処理を行うかを示す処理シーケンスチャートを示す。
【０１３４】
本図と図２５との違いは、ユーザ端末からの照会要求が、コンテンツ識別子でなくサービス属性条件を有する点、及びコンテンツ属性情報及び付加サービス関連付け禁止条件情報がコンテンツに挿入された情報から取得される点である。
【０１３５】
次に、図３１にしたがって、本発明により構成される付加サービス提供システムの処理シーケンスについて説明する。
まず、流通前に、コンテンツセンタ１０がコンテンツにコンテンツ属性情報及び付加サービス関連付け禁止条件情報を挿入する（Ｓ３１１）。コンテンツ属性情報及び付加サービス関連付け禁止条件情報が挿入されたコンテンツは、ネットワーク経由でユーザ端末１に配信される。ユーザ端末１では、コンテンツから埋め込まれた属性情報及び禁止条件情報を読み出す（Ｓ３１２）。そして、読み出した情報からサービス属性条件を生成する（Ｓ３１３）。
【０１３６】
図３２に、このサービス属性条件の生成例を示す。この例では、配信されたコンテンツから読み出されたコンテンツ属性情報（制作会社＝ａ、ジャンル＝ｄ、アーティスト＝ｇ、メディア種別＝ｈ、）と付加サービス関連付け禁止条件情報（サービス提供会社ｂ禁止）から、サービス属性条件（制作会社＝ａ）ｏｒ（ジャンル＝ｄ）ｏｒ（アーティスト＝ｇ）ｏｒ（メディア種別＝ｈ）ａｎｄ（提供会社≠ｂ）が生成されている。コンテンツと似た属性を有する付加サービスは関連付けを可能な限り多く行い、関連付け禁止条件に該当する付加サービスは絶対に関連付けを行わないことが好適であるため、属性情報は少なくとも一部の項目が一致するものを取得し、かつ禁止条件は必ず満たすものを取得することとしている。
【０１３７】
図３１において、サードパーティの運用するコンテンツ付加サービス提供サーバ６、７及び８は、どのようなサービス属性情報を有する付加サービス提供が可能であるのかという情報の関連付け要求を、コンテンツ付加サービス許諾サーバ３に対して行う。この関連付け要求情報の構成例は、本発明の第２の実施の形態での構成例（図１６）と同様であるので、説明を省略する。
【０１３８】
コンテンツ付加サービス許諾サーバ３では、関連付け要求情報をもとに、サービス属性情報と付加サービス情報との対応関係について記述する対応表を作成しておく（Ｓ３１４）。
この対応表の構成例は、本発明の第３の実施の形態での構成例（図２７）と同様であるので、説明を省略する。
【０１３９】
ユーザ端末１よりコンテンツ付加サービス許諾サーバ３に対してサービス属性条件が送信されてきた場合、コンテンツ付加サービス許諾サーバ３は、対応表のサービス属性情報と比較し、該当するサービス属性情報に対する付加サービスの該当情報とそれを提供する付加サービス提供サーバのロケーション情報の一覧情報を取得する（Ｓ３１５）。そして、その取得した情報をユーザ端末に送信する。
【０１４０】
ユーザ端末１において、例えばサービス属性条件「（（制作会社＝ａ）ｏｒ（ジャンル＝ｄ）ｏｒ（アーティスト＝ｇ）ｏｒ（メディア種別＝ｈ）ａｎｄ（提供会社≠ｂ））」を指定して照会要求した場合、対応表で該当するサービス属性情報「制作会社＝ａ、アーティスト＝ｅ」に対する付加サービス「関連商品販売」が取得され、一覧情報としてユーザ端末に送信される。その後のユーザ端末での処理は、本発明の第１実施の形態での処理シーケンスと同じであるので、説明を省略する。
【０１４１】
また、各種変更要求に対する処理は、本発明の第３の実施の形態での処理シーケンスと同じであるので、説明を省略する。
【０１４２】
図３３に、コンテンツ付加サービス許諾サーバで実行される処理の一例を図示する。
次に、この処理フローにしたがって、コンテンツ付加サービス許諾サーバが実行する処理について説明する。
【０１４３】
（１）サードパーティからの関連付け要求に対して実行する処理
図３３（ａ）は、本発明の第３の実施の形態での処理フローと同様であるので、説明を省略する。
【０１４４】
（２）ユーザ端末からの照会要求に対して実行する処理
図３３（ｂ）に示すとおり、コンテンツ付加サービス許諾サーバは、ユーザ端末からサービス属性条件を指定して付加サービス一覧の照会要求があるまで待機する。そして照会要求があった場合（Ｓ３３１ｂ：Ｙｅｓ）、対応表から該当サービス属性情報に対する付加サービス情報を取得する（Ｓ３３２ｂ）。そしてユーザ端末に付加サービス一覧を送信する（Ｓ３３３ｂ）。
【０１４５】
上記のように構成された本実施の形態におけるコンテンツ付加サービス許諾サーバは、コンテンツセンタを必要とせず、且つサードパーティからの関連付け要求の処理量とユーザ端末からの照会要求の処理量の両方が少ないことから、例えばコンテンツに挿入できる程度の少量の変化しない属性を扱う簡単なシステムに適した構成例である。
【０１４６】
「第５の実施の形態」
図３４に、本発明の第５の実施の形態に係る付加サービス提供システムの構成を図示する。本構成は、請求項１、請求項５、請求項８、請求項９、請求項１０、請求項１１、請求項１２、請求項１３に記載のコンテンツ付加サービス許諾サーバを含む。なお、請求項１、請求項１３に記載のコンテンツ付加サービス許諾サーバは、請求項８に限らず請求項４及び請求項７又若しくはその他の請求項に記載の機能を有する構成とすることもできる。また、請求項９、請求項１０、請求項１１、請求項１２に記載の機能の全部ではなくその一部と組み合わせる構成とすることも可能である。
【０１４７】
本発明の第５の実施の形態に係る付加サービス提供システムと先の第４の実施の形態に係る付加サービス提供システムとの相違点は、コンテンツ付加サービス許諾サーバが対応表を有しない点、コンテンツ付加サービス提供サーバが関連付け要求情報を有する点である。
【０１４８】
図中、１はユーザ端末、２はインターネット網などのネットワーク、３は付加サービス許諾を行うコンテンツ付加サービス許諾サーバ、６から８の其々はサードパーティの運用するコンテンツ付加サービス提供サーバ、９は提供可能な付加サービスの情報とその付加サービスの提供元のロケーション情報とを記述する関連付け要求情報、１０はコンテンツにコンテンツ属性情報及び付加サービス関連付け禁止条件情報を挿入して配信するコンテンツセンタ、１２はコンテンツ、１４はコンテンツに挿入されたコンテンツ属性情報、１６はコンテンツに挿入された付加サービス関連付け禁止条件情報である。
【０１４９】
図３５に、本実施の形態におけるユーザ端末１、コンテンツ付加サービス許諾サーバ３、コンテンツセンタ１０、サードパーティの運用するコンテンツ付加サービス提供サーバ６、７及び８が、どのような処理を行うかを示す処理シーケンスチャートを示す。
【０１５０】
本図と図３１との相違点は、コンテンツ付加サービス許諾サーバ３がサードパーティから予め関連付け要求情報を受け取らず、コンテンツ付加サービス許諾サーバ３から条件を指定して、検索結果情報を受け取る点である。
【０１５１】
次に、図３５にしたがって、本発明により構成される付加サービス提供システムの処理シーケンスについて説明する。
ユーザ端末１がサービス属性条件を生成するまでの処理は、本発明の第４の実施の形態での処理シーケンスと同様であるので、説明を省略する。
【０１５２】
ユーザ端末１よりコンテンツ付加サービス許諾サーバ３に対してサービス属性条件が送信されてきた場合、コンテンツ付加サービス許諾サーバ３は、サービス属性条件に基づいて、コンテンツ付加サービス提供サーバ６、７及び８で検索可能な形式の、付加サービス検索条件を生成する（Ｓ３５４）。
【０１５３】
図３６に、この付加サービス検索条件の生成例を示す。この例では、ユーザ端末で指定されたサービス属性条件「（制作会社＝ａ）ｏｒ（ジャンル＝ｄ）ｏｒ（アーティスト＝ｇ）ｏｒ（メディア種別＝ｈ）ａｎｄ（提供会社≠ｂ））」から、付加サービス検索条件であるキーワード「ａ  ｄ  ｇ  ｈ」及び除外ワード「ｂ」が生成されている。これらは、広く使用されている検索キーワードの書式であり、コンテンツ付加サービス提供サーバがキーワード検索サイトである場合に適した生成例である。
【０１５４】
図３５において、コンテンツ付加サービス許諾サーバ３は、検索条件を指定して、コンテンツ付加サービス提供サーバに付加サービスを問い合わせる。
サードパーティの運用するコンテンツ付加サービス提供サーバ６、７及び８は、その検索条件に対してどのような付加サービス提供が可能であるのかという情報を関連付け要求情報から検索し、検索結果情報をコンテンツ付加サービス許諾サーバ３に対して返信する。
【０１５５】
図３７に、この検索結果情報の構成例を示す。検索結果情報は、この図に示すように、検索条件を満たす付加サービスの概要情報、その提供サーバのロケーション情報が一覧表の形式となっている。これは、広く使用されているキーワード検索結果の書式であり、コンテンツ付加サービス提供サーバがキーワード検索サイトである場合に適した構成例である。
【０１５６】
図３５において、検索結果情報から付加サービス一覧が生成され（Ｓ３５５）、ユーザ端末１に送信される。付加サービス一覧の生成方法としては、コンテンツ付加サービス提供サーバごとに検索結果情報の書式の差がある場合に所定の書式に整形したり、不要な情報をフィルタリングしたりする方法が考えられる。
【０１５７】
その後のユーザ端末での処理は、本発明の第１の実施の形態での処理シーケンスと同じであるので、説明を省略する。
【０１５８】
図３８に、コンテンツ付加サービス許諾サーバで実行される処理の一例を図示する。次に、この処理フローにしたがって、コンテンツ付加サービス許諾サーバが実行する処理について説明する。
【０１５９】
図３８に示すとおり、コンテンツ付加サービス許諾サーバは、ユーザ端末からサービス属性条件を指定しての付加サービス一覧の照会要求があるまで待機する。そして照会要求があった場合（Ｓ３８１：Ｙｅｓ）、サービス属性条件から付加サービス検索条件を生成する（Ｓ３８２）。次に、検索条件を指定してサードパーティに付加サービスを問い合わせ（Ｓ３８３）、検索結果情報から付加サービス一覧を生成し（Ｓ３８４）、ユーザ端末に送信する（Ｓ３８５）。
【０１６０】
上記のように構成された本実施の形態におけるコンテンツ付加サービス許諾サーバは、サードパーティから予め関連付け要求情報を受け取らず、コンテンツ付加サービス許諾サーバから条件を指定して、検索結果情報を受け取ることから、例えば、コンテンツ属性に基づいて広く検索を行うインターネット網上関連サービス検索システム等に適した構成例である。
【０１６１】
「第６の実施の形態」
図３９に、本発明の第６の実施の形態に係る付加サービス提供システムの構成を図示する。本構成は、請求項１、請求項４、請求項７、請求項９、請求項１０、請求項１１、請求項１２、請求項１３に記載のコンテンツ付加サービス許諾サーバを含む。
【０１６２】
本発明の第６の実施の形態に係る付加サービス提供システムと先の第３の実施の形態に係る付加サービス提供システムとの相違点は、コンテンツ付加サービス許諾サーバが対応表を持たない点、コンテンツ付加サービス提供サーバが関連付け要求情報を有する点である。
【０１６３】
図中の１はユーザ端末、２はインターネット網などのネットワーク、３は付加サービス許諾を行うコンテンツ付加サービス許諾サーバ、１７はコンテンツ識別子に対して予め取得しておくコンテンツセンタ情報、６から８の其々はサードパーティの運用するコンテンツ付加サービス提供サーバ、９は提供可能な付加サービスの情報とその付加サービスの提供元のロケーション情報とを記述する関連付け要求情報、１０はコンテンツにコンテンツ属性情報及び付加サービス関連付け禁止条件情報を挿入して配信するコンテンツセンタ、１４はコンテンツ識別子に対応するコンテンツ属性情報、１６はコンテンツ識別子に対応する付加サービス関連付け禁止条件情報、１２はコンテンツである。
【０１６４】
図４０に、本実施の形態における、ユーザ端末１、コンテンツ付加サービス許諾サーバ３、コンテンツセンタ１０、サードパーティの運用するコンテンツ付加サービス提供サーバ６、７及び８が、どのような処理を行うかを示す処理シーケンスチャートを示す。
【０１６５】
本図と図２５との相違点は、コンテンツ付加サービス許諾サーバがサードパーティから予め関連付け要求情報を受け取らず、コンテンツ付加サービス許諾サーバから条件を指定して、検索結果情報を受け取る点である。
【０１６６】
次に、図４０にしたがって、本発明により構成される付加サービス提供システムの処理シーケンスについて説明する。
なお、コンテンツセンタがコンテンツにユニークなコンテンツ識別子を挿入する処理から、ユーザ端末が付加サービス一覧を要求する処理までは、本発明の第１の実施の形態での処理シーケンスと同じであるので、説明を省略する。
【０１６７】
コンテンツセンタ１０は、コンテンツ付加サービス許諾サーバ３に対して、コンテンツ識別子に対応する形式でコンテンツセンタ情報を登録する。
【０１６８】
このコンテンツセンタ情報の構成例は、図２６に示した本発明の第３の実施の形態での構成例と同様であるので、説明を省略する。
【０１６９】
ユーザ端末１よりコンテンツ付加サービス許諾サーバ３に対して対象コンテンツのコンテンツ識別子を含む付加サービス一覧要求が送信されてきた場合、コンテンツ付加サービス許諾サーバ３は、コンテンツセンタ１０のロケーション情報にもとづいてコンテンツ属性情報及び付加サービス関連付け禁止条件情報を問い合わせ、コンテンツ識別子に対応する属性情報及び禁止条件情報をコンテンツセンタ１０から取得する。
【０１７０】
コンテンツ付加サービス許諾サーバ３は、属性情報及び禁止条件情報に基づいて、コンテンツ付加サービス提供サーバで検索可能な形式の付加サービス検索条件を生成する（Ｓ４０３）。
【０１７１】
図４１に、この付加サービス検索条件の生成例を示す。この例では、コンテンツ識別子｛１２３」を有するコンテンツの属性情報（制作会社＝ａ、ジャンル＝ｄ、アーティスト＝ｇ、メディア種別＝ｈ、）から、付加サービス検索条件であるキーワード「ａ  ｄ  ｇ  ｈ」が生成されている。また、付加サービス関連付け禁止条件情報（サービス提供会社ｂ禁止）から、除外ワード「ｂ」が生成されている。これらは、広く使用されている検索キーワードの書式であり、コンテンツ付加サービス提供サーバがキーワード検索サイトである場合に適した生成例である。
【０１７２】
図４０において、コンテンツ付加サービス許諾サーバ３は、検索条件を指定して、コンテンツ付加サービス提供サーバに付加サービスを問い合わせる。
【０１７３】
サードパーティの運用するコンテンツ付加サービス提供サーバ６、７及び８は、その検索条件に対してどのような付加サービス提供が可能であるのかという情報を関連付け要求情報から検索し、検索結果情報をコンテンツ付加サービス許諾サーバ３に対して返信する。
【０１７４】
この検索結果情報の構成例は、図３７に示した本発明の第５の実施の形態での構成例と同様であるので、説明を省略する。
【０１７５】
そして、上記の検索結果情報から付加サービス一覧が生成され（Ｓ４０４）、ユーザ端末１に送信される。付加サービス一覧の生成方法としては、コンテンツ付加サービス提供サーバ６、７及び８間で検索結果情報の書式の差がある場合に所定の書式に整形する方法の他、不要な情報をフィルタリングする方法が挙げられる。
【０１７６】
その後のユーザ端末１での処理は、本発明の第１の実施の形態での処理シーケンスと同様であるので、説明を省略する。
【０１７７】
図４２に、コンテンツ付加サービス許諾サーバで実行される処理の一例を図示する。次に、この処理フローにしたがって、コンテンツ付加サービス許諾サーバが実行する処理について説明する。
【０１７８】
（１）コンテンツセンタからの登録要求に対して実行する処理
図４２（ａ）に示す処理フローは、本発明の第３の実施の形態での処理フローと同じであるので、説明を省略する。
【０１７９】
（２）ユーザ端末からの照会要求に対して実行する処理
図４２（ｂ）に示すとおり、コンテンツ付加サービス許諾サーバは、ユーザ端末からコンテンツ識別子を指定して付加サービス一覧の照会要求があるまで待機する。そして照会要求があった場合（Ｓ４２１ｂ：Ｙｅｓ）、そのコンテンツ識別子に対するコンテンツの属性情報及び付加サービス関連付け禁止条件情報をコンテンツセンタに問い合わせ（Ｓ４２２ｂ）、属性情報及び禁止条件情報から付加サービス検索条件を生成する（Ｓ４２３ｂ）。次に、検索条件を指定してサードパーティに付加サービスを問い合わせ（Ｓ４２４ｂ）、検索結果情報から付加サービス一覧を生成し（Ｓ４２５ｂ）、ユーザ端末に付加サービス一覧を送信する（Ｓ４２６ｂ）。
【０１８０】
上記のように構成された本実施の形態におけるコンテンツ付加サービス許諾サーバは、サードパーティから予め関連付け要求情報を受け取らず、コンテンツ付加サービス許諾サーバから条件を指定して、検索結果情報を受け取ることから、例えば、コンテンツ識別子に基づいて広く検索を行うインターネット網上関連サービス検索システム等に適した構成例である。
【０１８１】
以上説明したように、本発明のコンテンツ付加サービス許諾サーバは、サードパーティからコンテンツに対して関連付けを希望する付加サービスの関連付け条件と、その付加サービスの概要情報を受け取り、一方でコンテンツの被関連付け条件を受け取り、コンテンツの被関連付け条件と、付加サービスの関連付け条件との比較を行い、関連付けを許諾する付加サービスの概要情報を得ることにより、コンテンツに関連付けられる様々なサービスや、コンテンツやサービスの追加・変更・削除に対しても、コンテンツセンタやサードパーティがコンテンツに対して適切且つ柔軟性に富んだサービスをユーザに提供することが可能となる。
【０１８２】
また、コンテンツ付加サービス許諾サーバが各種情報を記憶する形式及び各種情報を取得する時期は任意に設定可能であり、さらに適切且つ柔軟性に富んだサービスを提供することが可能となる。
【０１８３】
また、コンテンツ識別子、付加サービスの属性情報といった情報を指定することにより付加サービスの関連付け条件を指定可能であるため、さらに適切且つ柔軟性に富んだサービスを提供することが可能となる。
【０１８４】
また、コンテンツ識別子、付加サービスの属性情報といった情報を指定することにより付加サービスの照会要求が可能であるため、さらに適切且つ柔軟性に富んだサービスを提供することが可能となる。
【０１８５】
また、コンテンツの被関連付け条件をコンテンツセンタやコンテンツ自体から取得するため、さらに適切且つ柔軟性に富んだサービスを提供することが可能となる。
【０１８６】
また、コンテンツの被関連付け条件を指定するにあたって、コンテンツ属性や付加サービス関連付け禁止条件を指定可能であるため、さらに適切且つ柔軟性に富んだサービスを提供することが可能となる。
【０１８７】
また、コンテンツに対して付加サービスの概要情報の関連付けを許諾するにあたって、付加サービスの関連付け条件がコンテンツの被関連付け条件の少なくとも一部を満たす場合や付加サービスの関連付け条件がコンテンツの被関連付け条件の全てを満たす場合というように許諾条件を任意に設定可能であるため、さらに適切且つ柔軟性に富んだサービスを提供することが可能となる。
【０１８８】
また、サードパーティから受け取る関連付け要求が有するコンテンツ属性条件は、サードパーティやコンテンツ付加サービス許諾サーバにより指定可能であるため、さらに適切且つ柔軟性に富んだサービスを提供することが可能となる。
【０１８９】
なお、以上の説明においては、コンテンツ付加サービス許諾サーバはサードパーティの運用を仮定したが、コンテンツの配信元であるコンテンツセンタが運用してもよい。
【０１９０】
また、コンテンツ識別子としては、コンテンツに埋め込まれた電子透かし、コンテンツヘッダに記録された情報、コンテンツに添付された情報、ユーザ端末から手入力された情報等が挙げられる。
【０１９１】
また、コンテンツの被関連付け条件としては、著作権情報、場面や被写体などの内容的特徴量、メディア種別やビットレートなどの物理的特徴量などからなるコンテンツ属性や、好ましくないサイトからのリンクなどを指定する付加サービス関連付け禁止条件等が挙げられる。
【０１９２】
また、コンテンツの被関連付け条件と付加サービスの関連付け条件とを比較し関連付けを許諾する場合としては、前記付加サービスの関連付け条件が前記コンテンツの被関連付け条件の少なくとも一部を満たす場合や全てを満たす場合等が挙げられる。
【０１９３】
一方、ユーザの立場に立ってみると、１つのコンテンツに対する付加サービスだけでなく、それと関連した多くのコンテンツに対する付加サービスも照会したいという場合が多い。したがって、コンテンツの有するコンテンツ識別子の代わりに付加サービスの属性条件を指定して照会する構成としてもよい。
【０１９４】
さらに、コンテンツ付加サービス許諾サーバの立場に立ってみると、ユーザによる多くの付加サービスの照会要求に対応するために、照会要求と関連した多くの付加サービスを提供したいという場合が多い。したがって、サードパーティにより予め関連付けされた付加サービスの代わりに、コンテンツ付加サービス許諾サーバが付加サービスの関連付け条件を指定して、付加サービスを検索して返信する構成としてもよい。
【０１９５】
また、以上の説明においては、対象コンテンツに関するコンテンツ付加サービス許諾サーバのロケーション情報（ＩＰアドレスやＵＲＬなどのネットワーク上の位置）が既知であることを仮定したが、ロケーション情報が不明の場合は、コンテンツ識別子とコンテンツ付加サービス許諾サーバのロケーションとの対応を管理するリゾリューションサーバを用いて、ユーザ端末はコンテンツ識別子を指定してリゾリューションサーバに問い合わせることで、コンテンツ付加サービス許諾サーバのロケーションを取得する構成としてもよい。
【０１９６】
さらに、以上の説明においては、許諾サーバに対して照会要求を行うのはユーザである場合を示したが、本発明の請求項からも明らかなように、ユーザに限ったことではなく、例えばサードパーティが付加サービスの関連付け要求を行う前に照会要求を行って現在の関連付け状況を確認する構成の他、コンテンツセンタが照会要求を行って自分のコンテンツへの被関連付け状況を把握する構成としてもよく、したがって、広範なサービスを提供することが可能となる。
【０１９７】
また、上記の全ての実施の形態に係るコンテンツ付加サービス許諾サーバとしては、ＣＰＵ（Ｃｅｎｔｒａｌ  Ｐｒｏｃｅｓｓｉｎｇ  Ｕｎｉｔ）、ハードディスクドライブ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、キーボード、ディスプレイ、フレキシブルディスクドライブ、通信ネットワークに接続して通信を行うための通信部等を有したコンピュータを用いることが可能である。これにあたっては、コンピュータに前述の各処理を実行させるためのコンテンツ付加サービス許諾プログラムを読み取らせ、実行させる。
【０１９８】
したがって、上記のコンテンツ付加サービス許諾プログラムと、このコンテンツ付加サービス許諾プログラムを記録したフレキシブルディスク、ＣＤ−ＲＯＭ）、ＰＣ（Ｐｅｒｓｏｎａｌ  Ｃｏｍｐｕｔｅｒ）カード等のコンピュータで読み取り可能なプログラム記録媒体も本発明の範囲に含まれる。
【０１９９】
【発明の効果】
以上のとおり本発明によれば、コンテンツやこのコンテンツと関連付けられた様々なサービスに対して追加、変更及び削除が行われた場合においても、ユーザに適切且つ柔軟性に富んだサービスを提供するためのコンテンツ付加サービス許諾サーバ、コンテンツ付加サービス許諾プログラム及びプログラム記録媒体を提供することができる。
【図面の簡単な説明】
【図１】本発明の第１の実施の形態に係る付加サービス提供システムの構成例を示す図である。
【図２】本発明の第１の実施の形態における処理シーケンスチャートである。
【図３】コンテンツの被関連付け条件の一例を示す図である。
【図４】関連付け要求情報の一例を示す図である。
【図５】コンテンツ識別子と付加サービス情報との対応関係について記述する対応表の一例を示す図である。
【図６】変更要求情報の一例を示す図である。
【図７】変更要求情報に基づいて再作成された対応表の一例を示す図である。
【図８】コンテンツ付加サービス許諾サーバが実行する処理の一例を示す図である。
【図９】コンテンツ付加サービス許諾サーバが実行する処理の一例を示す図である。
【図１０】本発明の第２の実施の形態に係る付加サービス提供システムの構成例を示す図である。
【図１１】本発明の第２の実施の形態における処理シーケンスチャートである。
【図１２】本発明の第２の実施の形態における処理シーケンスチャートの別の例である。
【図１３】本発明の第２の実施の形態における処理シーケンスチャートの別の例である。
【図１４】コンテンツ属性情報の一例を示す図である。
【図１５】付加サービス関連付け禁止条件情報の一例を示す図である。
【図１６】関連付け要求情報の一例を示す図である。
【図１７】コンテンツ識別子と付加サービス情報との対応関係について記述する対応表の一例を示す図である。
【図１８】変更要求情報の一例を示す図である。
【図１９】変更要求情報に基づいて再作成された対応表の一例を示す図である。
【図２０】コンテンツ付加サービス許諾サーバが実行する処理の一例を示す図である。
【図２１】コンテンツ付加サービス許諾サーバが実行する処理の一例を示す図である。
【図２２】コンテンツ付加サービス許諾サーバが実行する処理の一例を示す図である。
【図２３】コンテンツ付加サービス許諾サーバが実行する処理の一例を示す図である。
【図２４】本発明の第３の実施の形態に係る付加サービス提供システムの構成例を示す図である。
【図２５】本発明の第３の実施の形態における処理シーケンスチャートである。
【図２６】コンテンツセンタ情報の一例を示す図である。
【図２７】サービス属性情報と付加サービス情報との対応関係について記述する対応表の一例を示す図である。
【図２８】コンテンツ付加サービス許諾サーバが実行する処理の一例を示す図である。
【図２９】コンテンツ付加サービス許諾サーバが実行する処理の一例を示す図である。
【図３０】本発明の第４の実施の形態に係る付加サービス提供システムの構成例を示す図である。
【図３１】本発明の第４の実施の形態における処理シーケンスチャートである。
【図３２】サービス属性条件生成の一例を示す図である。
【図３３】コンテンツ付加サービス許諾サーバが実行する処理の一例を示す図である。
【図３４】本発明の第５の実施の形態に係る付加サービス提供システムの構成例を示す図である。
【図３５】本発明の第５の実施の形態おける処理シーケンスチャートである。
【図３６】付加サービス検索条件生成の一例を示す図である。
【図３７】検索結果情報の一例を示す図である。
【図３８】コンテンツ付加サービス許諾サーバが実行する処理の一例を示す図である。
【図３９】本発明の第６の実施の形態に係る付加サービス提供システムの構成例を示す図である。
【図４０】本発明の第６の実施の形態における処理シーケンスチャートである。
【図４１】付加サービス検索条件生成の一例を示す図である。
【図４２】コンテンツ付加サービス許諾サーバが実行する処理の一例を示す図である。
【符号の説明】
１  ユーザ端末
２  ネットワーク
３  コンテンツ付加サービス許諾サーバ
４、１１  被関連付け条件情報
５  対応表
６、７、８  コンテンツ付加サービス提供サーバ
９  関連付け要求情報
１０  コンテンツセンタ
１２  コンテンツ
１３、１４  コンテンツ属性情報
１５、１６  付加サービス関連付け禁止条件情報
１７  禁止条件情報
【図１】
2004362472.tif 000003
【図２】
2004362472.tif 000004
【図３】
2004362472.tif 000005
【図４】
2004362472.tif 000006
【図５】
2004362472.tif 000007
【図６】
2004362472.tif 000008
【図７】
2004362472.tif 000009
【図８】
2004362472.tif 000010
【図９】
2004362472.tif 000011
【図１０】
2004362472.tif 000012
【図１１】
2004362472.tif 000013
【図１２】
2004362472.tif 000014
【図１３】
2004362472.tif 000015
【図１４】
2004362472.tif 000016
【図１５】
2004362472.tif 000017
【図１６】
2004362472.tif 000018
【図１７】
2004362472.tif 000019
【図１８】
2004362472.tif 000020
【図１９】
2004362472.tif 000021
【図２０】
2004362472.tif 000022
【図２１】
2004362472.tif 000023
【図２２】
2004362472.tif 000024
【図２３】
2004362472.tif 000025
【図２４】
2004362472.tif 000026
【図２５】
2004362472.tif 000027
【図２６】
2004362472.tif 000028
【図２７】
2004362472.tif 000029
【図２８】
2004362472.tif 000030
【図２９】
2004362472.tif 000031
【図３０】
2004362472.tif 000032
【図３１】
2004362472.tif 000033
【図３２】
2004362472.tif 000034
【図３３】
2004362472.tif 000035
【図３４】
2004362472.tif 000036
【図３５】
2004362472.tif 000037
【図３６】
2004362472.tif 000038
【図３７】
2004362472.tif 000039
【図３８】
2004362472.tif 000040
【図３９】
2004362472.tif 000041
【図４０】
2004362472.tif 000042
【図４１】
2004362472.tif 000043
【図４２】
2004362472.tif 000044